(57)【特許請求の範囲】
【請求項１】
複数のエリア（６０ａ，６０ｂ，・・・）それぞれに対して温度、湿度、気流、臭い、音響、及び、照明の少なくとも一つに関する環境を提供するためのエリア別環境提供システム（１，１００，２００）であって、
それぞれの前記エリア（６０ａ，６０ｂ，・・・）に属する個人及び団体の少なくとも一方に関する覚醒度を検出する検出部（２１ａ，２１ｂ，・・・）と、
前記覚醒度と、それぞれの前記エリア（６０ａ，６０ｂ，・・・）に属する前記個人及び団体の少なくとも一方の作業内容に応じて決められる好適な覚醒度である好適覚醒度と、に基づいて、それぞれの前記エリア（６０ａ，６０ｂ，・・・）に対して好ましい環境を提供する環境提供部（５１ａ，５１ｂ，・・・）と、
前記個人及び団体の少なくとも一方ごとに前記作業内容と前記好適覚醒度との相関関係を記憶する第１記憶部（１２ａ，１２ｂ，・・・）と、
前記環境提供部により提供された前記好ましい環境による前記個人または団体に対する効果である環境による効果が入力される第２入力部（１６ａ，１６ｂ，・・・）と、
前記個人及び団体の少なくとも一方ごとに前記環境による効果と前記環境による効果に対応する前記覚醒度との相関関係を記憶する第３記憶部（１３ａ，１３ｂ，・・・）と、
を備え、
前記第１記憶部（１２ａ，１２ｂ，・・・）に記憶された前記好適覚醒度は、前記第３記憶部（１３ａ，１３ｂ，・・・）に記憶された前記環境による効果と前記覚醒度との相関関係に基づいて求められる新たな前記好適覚醒度により更新される、
エリア別環境提供システム（１，１００，２００）。
【請求項２】
前記環境による効果とは、前記個人及び団体の少なくとも一方の作業量または主観的な快適性についての情報である、
請求項１に記載のエリア別環境提供システム（１，１００，２００）。
【請求項３】
前記作業内容が入力される第１入力部（１５ａ，１５ｂ，・・・）をさらに備える、
請求項１又は２に記載のエリア別環境提供システム（１，１００，２００）。
【請求項４】
前記環境と前記覚醒度との相関関係を記憶する第２記憶部（１７ａ，１７ｂ，・・・，１１７ａ，１１７ｂ，・・・）をさらに備え、
前記環境提供部（５１ａ，５１ｂ，・・・）は、さらに前記第２記憶部（１７ａ，１７ｂ，・・・，１１７ａ，１１７ｂ，・・・）を参照し、前記好適覚醒度、および、前記環境と前記覚醒度との相関関係に基づいて決まる前記好ましい環境を提供する、
請求項１から３のいずれか１項に記載のエリア別環境提供システム（１，１００，２００）。
【請求項５】
前記覚醒度を集中的に管理する集中管理部（２９１）と、
前記検出部（２１ａ，２１ｂ，・・・）と前記集中管理部（２９１）とを接続するネットワーク（２０５）と、
をさらに備える、
請求項１から４のいずれか１項に記載のエリア別環境提供システム（１，１００，２００）。
【請求項６】
前記作業内容は、単純な作業である単純作業と、複雑な作業である複雑作業と、を含む、
請求項１から５のいずれか１項に記載のエリア別環境提供システム（１，１００，２００）。
【請求項７】
前記作業内容が属している時期は、初期適応期、適応持続期、競合期、外乱影響期、終期及び休息期の少なくとも一つであり、
前記好適覚醒度は、前記作業内容が属している時期と前記作業内容とに応じて決められる好適な覚醒度である、
請求項１から６のいずれか１項に記載のエリア別環境提供システム（１，１００，２００）。
【請求項８】
前記環境は、複数種類だけ存在し、
前記環境提供部（５１ａ，５１ｂ，・・・）は、複数種類の前記環境に対して優先順位を付けて、前記覚醒度と前記好適覚醒度とに基づいて、それぞれの前記エリア（６０ａ，６０ｂ，・・・）に対して好ましい環境を提供する、
請求項１から７のいずれか１項に記載のエリア別環境提供システム（１，１００，２００）。
【請求項９】
前記環境提供部（５１ａ，５１ｂ，・・・）は、それぞれの前記エリア（６０ａ，６０ｂ，・・・）に対する環境の提供に必要なエネルギー量が、所定の目標上限値を超えないように、前記覚醒度と前記好適覚醒度とに基づいて、それぞれの前記エリア（６０ａ，６０ｂ，・・・）に対して好ましい環境を提供する、
請求項１から８のいずれか１項に記載のエリア別環境提供システム（１，１００，２００）。
【請求項１０】
前記個人及び団体の少なくとも一方の周囲の状況に関する情報である周囲情報が入力される第５入力部（１９ａ，・・・）をさらに備えた、
請求項１から９のいずれか１項に記載のエリア別環境提供システム（１，１００，２００）。
【請求項１１】
前記周囲情報は、花粉の発生状態に関する情報である花粉情報、ドライアイの発生しやすさに関する情報であるドライアイ情報及び空気感染する疾病の流行状態に関する情報である疾病情報の少なくとも１つを含む、
請求項１０に記載のエリア別環境提供システム（１，１００，２００）。
【請求項１２】
複数のエリア（６０ａ，６０ｂ，・・・）それぞれに対して温度、湿度、気流、臭い、音響、及び、照明の少なくとも一つに関する環境を提供するためのエリア別環境管理システム（３００）であって、
それぞれの前記エリア（６０ａ，６０ｂ，・・・）に属する個人及び団体の少なくとも一方に関する覚醒度を検出する検出部（２１ａ，２１ｂ，・・・）と、
前記覚醒度と、それぞれの前記エリア（６０ａ，６０ｂ，・・・）に属する前記個人及び団体の少なくとも一方の作業内容に応じて決められる好適な覚醒度である好適覚醒度と、に基づいて、それぞれの前記エリア（６０ａ，６０ｂ，・・・）に対して好ましい環境を報知する報知部（３１８ａ，３１８ｂ，・・・）と、
前記個人及び団体の少なくとも一方ごとに前記作業内容と前記好適覚醒度との相関関係を記憶する第１記憶部（１２ａ，１２ｂ，・・・）と、
前記好ましい環境による前記個人または団体に対する効果である環境による効果が入力される第２入力部（１６ａ，１６ｂ，・・・）と、
前記個人及び団体の少なくとも一方ごとに前記環境による効果と前記環境による効果に対応する前記覚醒度との相関関係を記憶する第３記憶部（１３ａ，１３ｂ，・・・）と、
を備え、
前記第１記憶部（１２ａ，１２ｂ，・・・）に記憶された前記好適覚醒度は、前記第３記憶部（１３ａ，１３ｂ，・・・）に記憶された前記環境による効果と前記覚醒度との相関関係に基づいて求められる新たな前記好適覚醒度により更新される、
エリア別環境管理システム（３００）。
【請求項１３】
前記環境による効果とは、前記個人及び団体の少なくとも一方の作業量または主観的な快適性についての情報である、
請求項１２に記載のエリア別環境管理システム（３００）。
【請求項１４】
前記作業内容が入力される第１入力部（１５ａ，１５ｂ，・・・）をさらに備える、
請求項１２又は１３に記載のエリア別環境管理システム（３００）。
【請求項１５】
前記個人及び団体の少なくとも一方から前記環境に関する要望が入力される第３入力部（３５３ａ，３５３ｂ，・・・）と、
前記要望と前記覚醒度と前記好適覚醒度とに基づいて、それぞれの前記エリア（６０ａ，６０ｂ，・・・）に対して好ましい環境を提供する環境提供部（５１ａ，５１ｂ，・・・）と、
をさらに備える、
請求項１２から１４のいずれか１項に記載のエリア別環境管理システム（３００）。
【請求項１６】
前記環境と前記覚醒度との相関関係を記憶する第２記憶部（１７ａ，１７ｂ，・・・，１１７ａ，１１７ｂ，・・・）をさらに備え、
前記報知部（３１８ａ，３１８ｂ，・・・）は、さらに前記第２記憶部（１７ａ，１７ｂ，・・・，１１７ａ，１１７ｂ，・・・）を参照し、前記好適覚醒度、および、前記環境と前記覚醒度との相関関係に基づいて決まる前記好ましい環境を報知する、
請求項１２から１５のいずれか１項に記載のエリア別環境管理システム（３００）。
【請求項１７】
前記覚醒度を集中的に管理する集中管理部（２９１）と、
前記検出部（２１ａ，２１ｂ，・・・）と前記集中管理部（２９１）とを接続するネットワーク（２０５）と、
をさらに備える、
請求項１２から１６のいずれか１項に記載のエリア別環境管理システム（３００）。
【請求項１８】
前記作業内容は、単純な作業である単純作業と、複雑な作業である複雑作業と、を含む、
請求項１２から１７のいずれか１項に記載のエリア別環境管理システム（３００）。
【請求項１９】
前記作業内容が属している時期は、初期適応期、適応持続期、競合期、外乱影響期、終期及び休息期の少なくとも一つであり、
前記好適覚醒度は、前記作業内容が属している時期と前記作業内容とに応じて決められる好適な覚醒度である、
請求項１２から１８のいずれか１項に記載のエリア別環境管理システム（３００）。
【請求項２０】
前記環境は、複数種類だけ存在し、
前記報知部（３１８ａ，３１８ｂ，・・・）は、複数種類の前記環境に対して優先順位を付けて、前記覚醒度と前記好適覚醒度とに基づいて、それぞれの前記エリア（６０ａ，６０ｂ，・・・）に対して好ましい環境を報知する、
請求項１２から１９のいずれか１項に記載のエリア別環境管理システム（３００）。
【請求項２１】
前記報知部（３１８ａ，３１８ｂ，・・・）は、それぞれの前記エリア（６０ａ，６０ｂ，・・・）に対する環境の提供に必要なエネルギー量が、所定の目標上限値を超えないように、前記覚醒度と前記好適覚醒度と、に基づいて、それぞれの前記エリア（６０ａ，６０ｂ，・・・）に対して好ましい環境を報知する、
請求項１２から２０のいずれか１項に記載のエリア別環境管理システム（３００）。
【請求項２２】
前記個人及び団体の少なくとも一方の周囲の状況に関する情報である周囲情報が入力される第５入力部（１９ａ，・・・）をさらに備えた、
請求項１２から２１のいずれか１項に記載のエリア別環境管理システム（３００）。
【請求項２３】
前記周囲情報は、花粉の発生状態に関する情報である花粉情報、ドライアイの発生しやすさに関する情報であるドライアイ情報及び空気感染する疾病の流行状態に関する情報である疾病情報の少なくとも１つを含む、
請求項２２に記載のエリア別環境管理システム（３００）。
【発明の詳細な説明】
【技術分野】
【０００１】
本発明は、エリア別環境提供システム及びエリア別環境管理システムに関する。
【背景技術】
【０００２】
人の温度、湿度あるいは気流等に対する感覚には、個人差がある。例えば、不特定多数の人が存在する空間を空気調和する場合、その中にはその温度や湿度に対して不快を覚える人や体調を崩す人等が現れることがある。このようなことが会社のオフィス等で起きると、組織の生産性等が落ち込むことが懸念される。このような問題を解決するための技術として、複数のエリアそれぞれに対して環境を提供するエリア別環境提供システムがある。このエリア別環境提供システムとして、パーソナル空調システム（例えば、特許文献１参照。）や空調装置コントロールシステム（例えば、特許文献２参照。）等が知られている。
【０００３】
一方、心電に基づいて覚醒度を検出し、覚醒度に応じて環境制御する覚醒度モニター装置が知られている（例えば、特許文献３参照。）。
【特許文献１】特開平５−８７３６４号公報（第２−３項、図１）
【特許文献２】特開２００２−１１５８９４号公報（第２−３項、図１）
【特許文献３】特許２５０５０７２号公報（第１−３項、図１９）
【発明の開示】
【発明が解決しようとする課題】
【０００４】
しかし、従来のエリア別環境提供システムは、個人等の要求通りに環境を提供することから、個人等の生産性が最適になるように、環境が提供されないことがある。したがって、個人等の要求通りに環境を提供すると、個人等の生産性が低下することがある。
【０００５】
一方、従来の覚醒度モニター装置は、作業内容にかかわらず環境を制御することがあるため、個人等の生産性が最適になるように、環境が提供されないことがある。したがって、作業内容にかかわらず環境を制御すると、個人等の生産性が低下することがある。
【０００６】
そこで、本発明の課題は、個人等の生産性を向上することができるエリア別環境提供システム及びエリア別環境管理システムを提供することにある。
【課題を解決するための手段】
【０００７】
第１発明に係るエリア別環境提供システムは、複数のエリアそれぞれに対して温度、湿度、気流、臭い、音響、及び、照明の少なくとも一つに関する環境を提供するためのエリア別環境提供システムであって、検出部と、環境提供部と、第１記憶部と、第３記憶部と、第２入力部とを備える。検出部は、それぞれのエリアに属する個人及び団体の少なくとも一方（以下、個人等とする）に関する覚醒度を検出する。環境提供部は、覚醒度と好適覚醒度とに基づいて、それぞれのエリアに対して好ましい環境を提供する。好適覚醒度は、それぞれのエリアに属する個人等の作業内容に応じて決められる好適な覚醒度である。第１記憶部は、個人等ごとに、作業内容と好適覚醒度との相関関係を記憶する。第２入力部には、環境による効果が入力される。第３記憶部は、個人等ごとに、環境による効果と覚醒度との相関関係を記憶する。第１記憶部に記憶された好適覚醒度は、第３記憶部に記憶された環境による効果と覚醒度との相関関係に基づいて求められる新たな好適覚醒度により更新される。
【０００８】
このエリア別環境提供システムでは、好適覚醒度が、それぞれのエリアに属する個人等の作業内容に応じて決められる好適な覚醒度である。検出部が、それぞれのエリアに属する個人等に関する覚醒度を検出する。覚醒度と好適覚醒度とに基づいて、それぞれのエリアに対して好ましい環境を決めることができる。環境提供部が、それぞれのエリアに対して好ましい環境の情報を、受け取ることができる。環境提供部が、それぞれのエリアに対して好ましい環境を提供する。第１記憶部が、作業内容と好適覚醒度との相関関係を記憶する。検出部が検出した覚醒度と、第１記憶部を参照することにより決められる好適覚醒度と、に基づいて、それぞれのエリアに対して好ましい環境を決めることができる。第１記憶部が、個人等ごとに、作業内容と好適覚醒度との相関関係を記憶する。第３記憶部が、環境提供部がそれぞれのエリアに対して提供した環境による効果の情報を取得することができる。第３記憶部が、検出部が検出した覚醒度の情報を受け取ることができる。第３記憶部が、環境による効果と覚醒度との相関関係を記憶する。第２入力部に、環境提供部がそれぞれのエリアに対して提供した環境による効果が入力される。第３記憶部が、個人等ごとに、環境による効果と覚醒度との相関関係を記憶する。
【０００９】
したがって、好適覚醒度が作業内容に応じて異なる場合でも、覚醒度が好適覚醒度になるように環境を提供することができる。このため、個人等の生産性を向上することができる。作業内容毎に好適覚醒度を記憶しているので、作業内容に応じて好適覚醒度を決めることができる。作業内容と好適覚醒度との相関関係を個人等毎に記憶しているので、好適覚醒度が個人等毎に異なる場合でも、作業内容に応じて好適覚醒度を決めることができる。環境による効果と覚醒度との相関関係を記憶しているので、環境による効果が最大になる覚醒度を把握することができる。このため、好適覚醒度を求めることができる。環境による効果が入力され、環境による効果と覚醒度との相関関係を記憶しているので、環境による効果が最大になる覚醒度を把握することができる。このため、好適覚醒度を求めることができる。環境による効果と覚醒度との相関関係を記憶しているので、好適覚醒度が個人等毎に異なる場合でも、好適覚醒度を求めることができる。
【００１０】
なお、環境による効果は、例えば、個人等の作業量など客観的なものでもよいし、例えば、個人等の印象など主観的なものでもよい。
【００１１】
第２発明に係るエリア別環境提供システムは、第１発明のエリア別環境提供システムであって、環境による効果は、個人等の作業量または主観的な快適性についての情報である。
【００１２】
第３発明に係るエリア別環境提供システムは、第１発明又は第２発明のエリア別環境提供システムであって、第１入力部をさらに備える。第１入力部には、作業内容が入力される。
【００１３】
このエリア別環境提供システムでは、第１入力部に、作業内容が入力される。第１記憶部が、作業内容と好適覚醒度との相関関係を記憶する。
【００１４】
したがって、第１入力部に入力された作業内容と、第１記憶部が記憶している相関関係とから、好適覚醒度を決めることができる。このため、作業内容に応じて好適覚醒度を決めることができる。
【００１５】
第４発明に係るエリア別環境提供システムは、第１発明から第３発明のいずれかのエリア別環境提供システムであって、第２記憶部をさらに備える。第２記憶部は、環境と覚醒度との相関関係を記憶する。環境提供部は、さらに第２記憶部を参照し、好適覚醒度、および、環境と覚醒度との相関関係に基づいて決まる好ましい環境を提供する。
【００１６】
このエリア別環境提供システムでは、第２記憶部が、環境提供部がそれぞれのエリアに対して提供した環境の情報を取得することができる。第２記憶部が、検出部が検出した覚醒度の情報を受け取ることができる。第２記憶部が、環境と覚醒度との相関関係を記憶する。
【００１７】
したがって、提供された環境と検出された覚醒度との相関関係を記憶するので、環境と覚醒度との相関関係を正確に把握することができる。このため、覚醒度が好適覚醒度になるように環境を提供することを容易にすることができる。
【００１８】
第５発明に係るエリア別環境提供システムは、第１発明から第４発明のいずれかのエリア別環境提供システムであって、集中管理部と、ネットワークとをさらに備える。集中管理部は、覚醒度を集中的に管理する。ネットワークは、検出部と集中管理部とを接続する。
【００１９】
このエリア別環境提供システムでは、ネットワークが、検出部と集中管理部とを接続する。集中管理部が、検出部が検出した覚醒度の情報をネットワーク経由で受け取ることができる。集中管理部が、覚醒度を集中的に管理する。
【００２０】
したがって、覚醒度を集中的に管理するので、医師等が個人等の状況を容易に把握することができる。
【００２１】
第６発明に係るエリア別環境提供システムは、第１発明から第５発明のいずれかのエリア別環境提供システムであって、作業内容は、単純作業と複雑作業とを含む。単純作業は、単純な作業である。複雑作業は、複雑な作業である。
【００２２】
このエリア別環境提供システムでは、作業内容が、単純作業と複雑作業とを含む。好適覚醒度が、それぞれのエリアに属する個人等の作業内容に応じて決められる好適な覚醒度である。検出部が、それぞれのエリアに属する個人等に関する覚醒度を検出する。覚醒度と好適覚醒度とに基づいて、それぞれのエリアに対して好ましい環境を決めることができる。環境提供部が、それぞれのエリアに対して好ましい環境の情報を、受け取ることができる。環境提供部が、それぞれのエリアに対して好ましい環境を提供する。
【００２３】
したがって、作業内容が単純作業であるか複雑作業であるかに応じて好適覚醒度が異なる場合でも、覚醒度が好適覚醒度になるように環境を提供することができる。このため、個人等の生産性を向上することができる。
【００２４】
なお、複雑作業は、例えば、ＣＡＤによる設計作業であってもいいし、ソフトウェアのプログラミング作業であってもいいし、特許明細書の作成作業であってもいい。単純作業は、例えば、データベースへの入力作業であってもいいし、事務書類作成作業であってもいいし、伝票の入力作業であってもいいし、文書のワープロでの清書作業であってもいい。
【００２５】
第７発明に係るエリア別環境提供システムは、第１発明から第６発明のいずれかのエリア別環境提供システムであって、作業内容が属している時期は、初期適応期、適応持続期、競合期、外乱影響期、終期及び休息期の少なくとも一つである。好適覚醒度は、作業内容が属している時期と作業内容とに応じて決められる好適な覚醒度である。
【００２６】
このエリア別環境提供システムでは、作業内容が属している時期が、初期適応期、適応持続期、競合期、外乱影響期、終期及び休息期の少なくとも一つである。好適覚醒度が、作業内容が属している時期と作業内容とに応じて決められる好適な覚醒度である。検出部が、それぞれのエリアに属する個人等に関する覚醒度を検出する。覚醒度と好適覚醒度とに基づいて、それぞれのエリアに対して好ましい環境を決めることができる。環境提供部が、それぞれのエリアに対して好ましい環境の情報を、受け取ることができる。環境提供部が、それぞれのエリアに対して好ましい環境を提供する。
【００２７】
したがって、作業内容が属している時期と作業内容とに応じて好適覚醒度が異なる場合でも、覚醒度が好適覚醒度になるように環境を提供することができる。このため、個人等の生産性を向上することができる。
【００２８】
なお、初期適応期は、作業を開始したときから、作業を開始して一定時間経過したときまでである。初期適応期は、初期緊張があり、覚醒度が高く、機能と能力を高めながら適応持続期に向かうときである。適応持続期は、作業を開始して一定時間経過したときから、作業に慣れてきたときまでである。適応持続期は、適度の緊張と覚醒度が続き、正確さを保って作業がはかどるときである。競合期は、作業を行っているときに別の作業が入ってきて、作業が競合しているときである。外乱影響期は、作業を行っているときに、作業の納期が早まるなどの外乱が入ってきたときである。外乱影響期は、作業ミスや緊急の作業による事態の混乱が発生したときである。終期は、作業の終わりを意識しだしたときから、作業が終わるときまでである。終期は、作業終了に向けて一定の機能レベルの回復（終末スパート効果）があるときである。休息期は、作業を休んで、休息を取っているときである。
【００２９】
第８発明に係るエリア別環境提供システムは、第１発明から第７発明のいずれかのエリア別環境提供システムであって、環境は、複数種類だけ存在する。環境提供部は、複数種類の環境に対して優先順位を付けて、覚醒度と好適覚醒度とに基づいて、それぞれのエリアに対して好ましい環境を提供する。
【００３０】
このエリア別環境提供システムでは、環境が、複数種類だけ存在する。複数種類の環境に優先順位を付けて、覚醒度と好適覚醒度とに基づいて、それぞれのエリアに対して好ましい環境を決めることができる。環境提供部が、それぞれのエリアに対して好ましい環境の情報を、受け取ることができる。環境提供部が、それぞれのエリアに対して好ましい環境を提供する。
【００３１】
したがって、環境に優先順位を付けて制御するので、環境を詳細に制御することができる。
【００３２】
第９発明に係るエリア別環境提供システムは、第１発明から第８発明のいずれかのエリア別環境提供システムであって、環境提供部は、それぞれのエリアに対する環境の提供に必要なエネルギー量が、所定の目標上限値を超えないように、覚醒度と好適覚醒度とに基づいて、それぞれのエリアに対して好ましい環境を提供する。
【００３３】
このエリア別環境提供システムでは、それぞれのエリアに対する環境の提供に必要なエネルギー量が、所定の目標上限値を超えないように、覚醒度と好適覚醒度とに基づいて、それぞれのエリアに対して好ましい環境を決めることができる。環境提供部が、それぞれのエリアに対して好ましい環境の情報を、受け取ることができる。環境提供部が、それぞれのエリアに対して好ましい環境を提供する。
【００３４】
したがって、省エネルギー化を図りながら、覚醒度が好適覚醒度になるように環境を提供することができる。このため、省エネルギー化を図りながら、個人等の生産性を向上することができる。
【００３５】
第１０発明に係るエリア別環境提供システムは、第１発明から第９発明のいずれかのエリア別環境提供システムであって、第５入力部をさらに備える。第５入力部には、周囲情報が入力される。周囲情報は、個人等の周囲の状況に関する情報である。
【００３６】
このエリア別環境提供システムでは、好適覚醒度が、それぞれのエリアに属する個人等の作業内容に応じて決められる好適な覚醒度である。検出部が、それぞれのエリアに属する個人等に関する覚醒度を検出する。第５入力部に、周囲情報が入力される。周囲情報と覚醒度と好適覚醒度とに基づいて、それぞれのエリアに対して好ましい環境を決めることができる。環境提供部が、それぞれのエリアに対して好ましい環境の情報を、受け取ることができる。環境提供部が、それぞれのエリアに対して好ましい環境を提供する。
【００３７】
したがって、周囲情報が入力されるので、個人等の周囲の状況を考慮して環境を提供することができる。このため、個人等の生産性を向上することができる。
【００３８】
第１１発明に係るエリア別環境提供システムは、第１０発明のエリア別環境提供システムであって、周囲情報は、花粉情報、ドライアイ情報及び疾病情報の少なくとも１つを含む。花粉情報は、花粉の発生状態に関する情報である。ドライアイ情報は、ドライアイの発生しやすさに関する情報である。疾病情報は、空気感染する疾病の流行状態に関する情報である。
【００３９】
このエリア別環境提供システムでは、好適覚醒度が、それぞれのエリアに属する個人等の作業内容に応じて決められる好適な覚醒度である。検出部が、それぞれのエリアに属する個人等に関する覚醒度を検出する。第５入力部に、周囲情報が入力される。周囲情報は、花粉情報、ドライアイ情報及び疾病情報の少なくとも１つを含む。周囲情報と覚醒度と好適覚醒度とに基づいて、それぞれのエリアに対して好ましい環境を決めることができる。環境提供部が、それぞれのエリアに対して好ましい環境の情報を、受け取ることができる。環境提供部が、それぞれのエリアに対して好ましい環境を提供する。
【００４０】
したがって、周囲情報を詳細な情報とすることができるので、個人等の生産性を詳細に向上することができる。
【００４１】
第１２発明に係るエリア別環境管理システムは、複数のエリアそれぞれに対して温度、湿度、気流、臭い、音響、及び、照明の少なくとも一つに関する環境を提供するためのエリア別環境管理システムであって、検出部と、報知部と、第１記憶部と、第３記憶部と、第２入力部とを備える。検出部は、それぞれのエリアに属する個人等に関する覚醒度を検出する。報知部は、覚醒度と好適覚醒度とに基づいて、それぞれのエリアに対して好ましい環境を報知する。好適覚醒度は、それぞれのエリアに属する個人等の作業内容に応じて決められる好適な覚醒度である。第１記憶部は、個人等ごとに、作業内容と好適覚醒度との相関関係を記憶する。第２入力部には、環境による効果が入力される。第３記憶部は、個人等ごとに、環境による効果と覚醒度との相関関係を記憶する。第１記憶部に記憶された好適覚醒度は、第３記憶部に記憶された環境による効果と覚醒度との相関関係に基づいて求められる新たな好適覚醒度により更新される。
【００４２】
このエリア別環境管理システムでは、好適覚醒度が、それぞれのエリアに属する個人等の作業内容に応じて決められる好適な覚醒度である。検出部が、それぞれのエリアに属する個人等に関する覚醒度を検出する。覚醒度と好適覚醒度とに基づいて、それぞれのエリアに対して好ましい環境を決めることができる。報知部が、それぞれのエリアに対して好ましい環境の情報を、受け取ることができる。報知部が、それぞれのエリアに対して好ましい環境を報知する。第１記憶部が、作業内容と好適覚醒度との相関関係を記憶する。覚醒度と好適覚醒度とに基づいて、それぞれのエリアに対して好ましい環境を決めることができる。第１記憶部が、個人等ごとに、作業内容と好適覚醒度との相関関係を記憶する。第３記憶部が、環境による効果の情報を取得することができる。第３記憶部が、検出部が検出した覚醒度の情報を受け取ることができる。第３記憶部が、環境による効果と覚醒度との相関関係を記憶する。第２入力部に、環境による効果が入力される。第３記憶部が、個人等ごとに、環境による効果と覚醒度との相関関係を記憶する。
【００４３】
したがって、好適覚醒度が作業内容に応じて異なる場合でも、覚醒度が好適覚醒度になるように個人等に促すことができる。このため、覚醒度が好適覚醒度になるように環境を提供することができる。この結果、個人等の生産性を向上することができる。作業内容毎に好適覚醒度を記憶しているので、作業内容に応じて好適覚醒度を決めることができる。作業内容と好適覚醒度との相関関係を個人等毎に記憶しているので、好適覚醒度が個人等毎に異なる場合でも、作業内容に応じて好適覚醒度を決めることができる。環境による効果と覚醒度との相関関係を記憶しているので、環境による効果が最大になる覚醒度を把握することができる。このため、好適覚醒度を求めることができる。環境による効果が入力され、環境による効果と覚醒度との相関関係を記憶しているので、環境による効果が最大になる覚醒度を把握することができる。このため、好適覚醒度を求めることができる。環境による効果と覚醒度との相関関係を記憶しているので、好適覚醒度が個人等毎に異なる場合でも、好適覚醒度を求めることができる。
【００４４】
なお、環境による効果は、例えば、個人等の作業量など客観的なものでもいいし、例えば、個人等の印象など主観的なものでもいい。
【００４５】
第１３発明に係るエリア別環境管理システムは、第１２発明のエリア別環境管理システムであって、環境による効果は、個人等の作業量または主観的な快適性についての情報である。
【００４６】
第１４発明に係るエリア別環境管理システムは、第１２発明又は第１３発明のエリア別環境管理システムであって、第１入力部をさらに備える。第１入力部には、作業内容が入力される。
【００４７】
このエリア別環境管理システムでは、第１入力部に、作業内容が入力される。第１記憶部が、作業内容と好適覚醒度との相関関係を記憶する。
【００４８】
したがって、第１入力部に入力された作業内容と、第１記憶部が記憶している相関関係と、から、好適覚醒度を決めることができる。このため、作業内容に応じて好適覚醒度を決めることができる。
【００４９】
第１５発明に係るエリア別環境管理システムは、第１２発明から第１４発明のいずれかのエリア別環境管理システムであって、第３入力部と環境提供部とをさらに備える。第３入力部には、個人等から環境に関する要望が入力される。環境提供部は、要望と覚醒度と好適覚醒度とに基づいて、それぞれのエリアに対して好ましい環境を提供する。
【００５０】
このエリア別環境管理システムでは、第３入力部に、個人等から環境に関する要望が入力される。要望と覚醒度と好適覚醒度とに基づいて、それぞれのエリアに対して好ましい環境を決めることができる。環境提供部が、それぞれのエリアに対して好ましい環境の情報を、受け取ることができる。環境提供部が、それぞれのエリアに対して好ましい環境を提供する。
【００５１】
したがって、個人等の要望に適した環境をできるだけ提供するとともに、覚醒度が好適覚醒度になるように環境を提供することができる。このため、個人等の要望に適した環境をできるだけ提供するとともに、個人等の生産性を向上することができる。
【００５２】
第１６発明に係るエリア別環境管理システムは、第１２発明から第１５発明のいずれかのエリア別環境管理システムであって、第２記憶部をさらに備える。第２記憶部は、環境と覚醒度との相関関係を記憶する。報知部は、さらに第２記憶部を参照し、好適覚醒度、および、環境と覚醒度との相関関係に基づいて決まる好ましい環境を報知する。
【００５３】
このエリア別環境管理システムでは、第２記憶部が、環境提供部がそれぞれのエリアに対して提供した環境の情報を取得することができる。あるいは、第２記憶部が、第３入力部から個人等の環境に関する要望の情報を取得して、環境提供部がそれぞれのエリアに対して提供した環境の情報とすることができる。第２記憶部が、検出部が検出した覚醒度の情報を受け取ることができる。第２記憶部が、環境と覚醒度との相関関係を記憶する。
【００５４】
したがって、提供された環境と検出された覚醒度との相関関係を記憶するので、環境と覚醒度との相関関係を正確に把握することができる。このため、覚醒度が好適覚醒度になるように環境を提供することを容易にすることができる。
【００５５】
第１７発明に係るエリア別環境管理システムは、第１２発明から第１６発明のいずれかのエリア別環境管理システムであって、集中管理部と、ネットワークとをさらに備える。集中管理部は、覚醒度を集中的に管理する。ネットワークは、検出部と集中管理部とを接続する。
【００５６】
このエリア別環境管理システムでは、ネットワークが、検出部と集中管理部とを接続する。集中管理部が、検出部が検出した覚醒度の情報をネットワーク経由で受け取ることができる。集中管理部が、覚醒度を集中的に管理する。
【００５７】
したがって、覚醒度を集中的に管理するので、医師等が個人等の状況を容易に把握することができる。
【００５８】
第１８発明に係るエリア別環境管理システムは、第１２発明から第１７発明のいずれかのエリア別環境管理システムであって、作業内容は、単純作業と複雑作業とを含む。単純作業は、単純な作業である。複雑作業は、複雑な作業である。
【００５９】
このエリア別環境管理システムでは、作業内容が、単純作業と複雑作業とを含む。好適覚醒度が、それぞれのエリアに属する個人等の作業内容に応じて決められる好適な覚醒度である。検出部が、それぞれのエリアに属する個人等に関する覚醒度を検出する。覚醒度と好適覚醒度とに基づいて、それぞれのエリアに対して好ましい環境を決めることができる。報知部が、それぞれのエリアに対して好ましい環境の情報を、受け取ることができる。報知部が、それぞれのエリアに対して好ましい環境を報知する。
【００６０】
したがって、作業内容が単純作業であるか複雑作業であるかに応じて好適覚醒度が異なる場合でも、覚醒度が好適覚醒度になるように環境を提供することができる。このため、個人等の生産性を向上することができる。
【００６１】
なお、複雑作業は、例えば、ＣＡＤによる設計作業であってもよいし、ソフトウェアのプログラミング作業であってもよいし、特許明細書の作成作業であってもよい。単純作業は、例えば、データベースへの入力作業であってもいいし、事務書類作成作業であってもよいし、伝票の入力作業であってもよいし、文書のワープロでの清書作業であってもよい。
【００６２】
第１９発明に係るエリア別環境管理システムは、第１２発明から第１８発明のいずれかのエリア別環境管理システムであって、作業内容が属している時期は、初期適応期、適応持続期、競合期、外乱影響期、終期及び休息期の少なくとも一つである。好適覚醒度は、作業内容が属している時期と作業内容とに応じて決められる好適な覚醒度である。
【００６３】
このエリア別環境管理システムでは、作業内容が属している時期は、初期適応期、適応持続期、競合期、外乱影響期、終期及び休息期の少なくとも一つである。好適覚醒度が、作業内容が属している時期と作業内容とに応じて決められる好適な覚醒度である。検出部が、それぞれのエリアに属する個人等に関する覚醒度を検出する。覚醒度と好適覚醒度とに基づいて、それぞれのエリアに対して好ましい環境を決めることができる。報知部が、それぞれのエリアに対して好ましい環境の情報を、受け取ることができる。報知部が、それぞれのエリアに対して好ましい環境を報知する。
【００６４】
したがって、作業内容が属している時期と作業内容とに応じて好適覚醒度が異なる場合でも、覚醒度が好適覚醒度になるように環境を提供することができる。このため、個人等の生産性を向上することができる。
【００６５】
なお、初期適応期は、作業を開始したときから、作業を開始して一定時間経過したときまでである。初期適応期は、初期緊張があり、覚醒度が高く、機能と能力を高めながら適応持続期に向かうときである。適応持続期は、作業を開始して一定時間経過したときから、作業に慣れてきたときまでである。適応持続期は、適度の緊張と覚醒度が続き、正確さを保って作業がはかどるときである。競合期は、作業を行っているときに別の作業が入ってきて、作業が競合しているときである。外乱影響期は、作業を行っているときに、作業の納期が早まるなどの外乱が入ってきたときである。外乱影響期は、作業ミスや緊急の作業による事態の混乱が発生したときである。終期は、作業の終わりを意識しだしたときから、作業が終わるときまでである。終期は、作業終了に向けて一定の機能レベルの回復（終末スパート効果）があるときである。休息期は、作業を休んで、休息を取っているときである。
【００６６】
第２０発明に係るエリア別環境管理システムは、第１２発明から第１９発明のいずれかのエリア別環境管理システムであって、環境は、複数種類だけ存在する。報知部は、複数種類の環境に対して優先順位を付けて、覚醒度と好適覚醒度とに基づいて、それぞれのエリアに対して好ましい環境を報知する。
【００６７】
このエリア別環境管理システムでは、環境が、複数種類だけ存在する。複数種類の環境に優先順位を付けて、覚醒度と好適覚醒度とに基づいて、それぞれのエリアに対して好ましい環境を決めることができる。報知部が、それぞれのエリアに対して好ましい環境の情報を、受け取ることができる。報知部が、それぞれのエリアに対して好ましい環境を報知する。
【００６８】
したがって、環境に優先順位を付けて報知するので、好ましい環境を詳細に報知することができる。
【００６９】
第２１発明に係るエリア別環境管理システムは、第１２発明から第２０発明のいずれかのエリア別環境管理システムであって、報知部は、それぞれのエリアに対する環境の提供に必要なエネルギー量が、所定の目標上限値を超えないように、覚醒度と好適覚醒度とに基づいて、それぞれのエリアに対して好ましい環境を報知する。
【００７０】
このエリア別環境管理システムでは、それぞれのエリアに対する環境の提供に必要なエネルギー量が、所定の目標上限値を超えないように、覚醒度と好適覚醒度とに基づいて、それぞれのエリアに対して好ましい環境を決めることができる。報知部が、それぞれのエリアに対して好ましい環境の情報を、受け取ることができる。報知部が、それぞれのエリアに対して好ましい環境を報知する。
【００７１】
したがって、省エネルギー化を図りながら、覚醒度が好適覚醒度になるように環境を提供することができる。このため、省エネルギー化を図りながら、個人等の生産性を向上することができる。
【００７２】
第２２発明に係るエリア別環境提供システムは、第１２発明から第２１発明のいずれかのエリア別環境提供システムであって、第５入力部をさらに備える。第５入力部には、周囲情報が入力される。周囲情報は、個人等の周囲の状況に関する情報である。
【００７３】
このエリア別環境提供システムでは、好適覚醒度が、それぞれのエリアに属する個人等の作業内容に応じて決められる好適な覚醒度である。検出部が、それぞれのエリアに属する個人等に関する覚醒度を検出する。第５入力部に、周囲情報が入力される。周囲情報と覚醒度と好適覚醒度とに基づいて、それぞれのエリアに対して好ましい環境を決めることができる。報知部が、それぞれのエリアに対して好ましい環境の情報を、受け取ることができる。報知部が、それぞれのエリアに対して好ましい環境を報知する。
【００７４】
したがって、周囲情報が入力されるので、個人等の周囲の状況を考慮した環境になるように個人等に促すことができる。このため、個人等の生産性を向上することができる。
【００７５】
第２３発明に係るエリア別環境提供システムは、第２２発明のエリア別環境提供システムであって、周囲情報は、花粉情報、ドライアイ情報及び疾病情報の少なくとも１つを含む。花粉情報は、花粉の発生状態に関する情報である。ドライアイ情報は、ドライアイの発生しやすさに関する情報である。疾病情報は、空気感染する疾病の流行状態に関する情報である。
【００７６】
このエリア別環境提供システムでは、好適覚醒度が、それぞれのエリアに属する個人等の作業内容に応じて決められる好適な覚醒度である。検出部が、それぞれのエリアに属する個人等に関する覚醒度を検出する。第５入力部に、周囲情報が入力される。周囲情報は、花粉情報、ドライアイ情報及び疾病情報の少なくとも１つを含む。周囲情報と覚醒度と好適覚醒度とに基づいて、それぞれのエリアに対して好ましい環境を決めることができる。報知部が、それぞれのエリアに対して好ましい環境の情報を、受け取ることができる。報知部が、それぞれのエリアに対して好ましい環境を報知する。
【００７７】
したがって、周囲情報を詳細な情報とすることができるので、個人等の生産性を詳細に向上することができる。
【発明の効果】
【００７８】
第１発明に係るエリア別環境提供システムでは、好適覚醒度が作業内容に応じて異なる場合でも、覚醒度が好適覚醒度になるように環境を提供することができる。このため、個人等の生産性を向上することができる。
【００７９】
作業内容毎に好適覚醒度を記憶しているので、作業内容に応じて好適覚醒度を決めることができる。
【００８０】
作業内容と好適覚醒度との相関関係を個人等毎に記憶しているので、好適覚醒度が個人等毎に異なる場合でも、作業内容に応じて好適覚醒度を決めることができる。
【００８１】
環境による効果と覚醒度との相関関係を記憶しているので、環境による効果が最大になる覚醒度を把握することができる。このため、好適覚醒度を求めることができる。
【００８２】
環境による効果が入力され、環境による効果と覚醒度との相関関係を記憶しているので、環境による効果が最大になる覚醒度を把握することができる。このため、好適覚醒度を求めることができる。
【００８３】
環境による効果と覚醒度との相関関係を記憶しているので、好適覚醒度が個人等毎に異なる場合でも、好適覚醒度を求めることができる。
【００８４】
第３発明に係るエリア別環境提供システムでは、第１入力部に入力された作業内容と、第１記憶部が記憶している相関関係とから、好適覚醒度を決めることができる。このため、作業内容に応じて好適覚醒度を決めることができる。
【００８５】
第４発明に係るエリア別環境提供システムでは、提供された環境と検出された覚醒度との相関関係を記憶するので、環境と覚醒度との相関関係を正確に把握することができる。このため、覚醒度が好適覚醒度になるように環境を提供することを容易にすることができる。
【００８６】
第５発明に係るエリア別環境提供システムでは、覚醒度を集中的に管理するので、医師等が個人等の状況を容易に把握することができる。
【００８７】
第６発明に係るエリア別環境提供システムでは、作業内容が単純作業であるか複雑作業であるかに応じて好適覚醒度が異なる場合でも、覚醒度が好適覚醒度になるように環境を提供することができる。このため、個人等の生産性を向上することができる。
【００８８】
第７発明に係るエリア別環境提供システムでは、作業内容が属している時期と作業内容とに応じて好適覚醒度が異なる場合でも、覚醒度が好適覚醒度になるように環境を提供することができる。このため、個人等の生産性を向上することができる。
【００８９】
第８発明に係るエリア別環境提供システムでは、環境に優先順位を付けて制御するので、環境を詳細に制御することができる。
【００９０】
第９発明に係るエリア別環境提供システムでは、省エネルギー化を図りながら、覚醒度が好適覚醒度になるように環境を提供することができる。このため、省エネルギー化を図りながら、個人等の生産性を向上することができる。
【００９１】
第１０発明に係るエリア別環境提供システムでは、周囲情報が入力されるので、個人等の周囲の状況を考慮して環境を提供することができる。このため、個人等の生産性を向上することができる。
【００９２】
第１１発明に係るエリア別環境提供システムでは、周囲情報を詳細な情報とすることができるので、個人等の生産性を詳細に向上することができる。
【００９３】
第１２発明に係るエリア別環境管理システムでは、好適覚醒度が作業内容に応じて異なる場合でも、覚醒度が好適覚醒度になるように個人等に促すことができる。このため、覚醒度が好適覚醒度になるように環境を提供することができる。この結果、個人等の生産性を向上することができる。
【００９４】
作業内容毎に好適覚醒度を記憶しているので、作業内容に応じて好適覚醒度を決めることができる。
【００９５】
作業内容と好適覚醒度との相関関係を個人等毎に記憶しているので、好適覚醒度が個人等毎に異なる場合でも、作業内容に応じて好適覚醒度を決めることができる。
【００９６】
環境による効果と覚醒度との相関関係を記憶しているので、環境による効果が最大になる覚醒度を把握することができる。このため、好適覚醒度を求めることができる。
【００９７】
環境による効果が入力され、環境による効果と覚醒度との相関関係を記憶しているので、環境による効果が最大になる覚醒度を把握することができる。このため、好適覚醒度を求めることができる。
【００９８】
環境による効果と覚醒度との相関関係を記憶しているので、好適覚醒度が個人等毎に異なる場合でも、好適覚醒度を求めることができる。
【００９９】
第１４発明に係るエリア別環境管理システムでは、第１入力部に入力された作業内容と、第１記憶部が記憶している相関関係と、から、好適覚醒度を決めることができる。このため、作業内容に応じて好適覚醒度を決めることができる。
【０１００】
第１５発明に係るエリア別環境管理システムでは、個人等の要望に適した環境をできるだけ提供するとともに、覚醒度が好適覚醒度になるように環境を提供することができる。このため、個人等の要望に適した環境をできるだけ提供するとともに、個人等の生産性を向上することができる。
【０１０１】
第１６発明に係るエリア別環境管理システムでは、提供された環境と検出された覚醒度との相関関係を記憶するので、環境と覚醒度との相関関係を正確に把握することができる。このため、覚醒度が好適覚醒度になるように環境を提供することを容易にすることができる。
【０１０２】
第１７発明に係るエリア別環境管理システムでは、覚醒度を集中的に管理するので、医師等が個人等の状況を容易に把握することができる。
【０１０３】
第１８発明に係るエリア別環境管理システムでは、作業内容が単純作業であるか複雑作業であるかに応じて好適覚醒度が異なる場合でも、覚醒度が好適覚醒度になるように環境を提供することができる。このため、個人等の生産性を向上することができる。
【０１０４】
第１９発明に係るエリア別環境管理システムでは、作業内容が属している時期と作業内容とに応じて好適覚醒度が異なる場合でも、覚醒度が好適覚醒度になるように環境を提供することができる。このため、個人等の生産性を向上することができる。
【０１０５】
第２０発明に係るエリア別環境管理システムでは、環境に優先順位を付けて報知するので、好ましい環境を詳細に報知することができる。
【０１０６】
第２１発明に係るエリア別環境管理システムでは、省エネルギー化を図りながら、覚醒度が好適覚醒度になるように環境を提供することができる。このため、省エネルギー化を図りながら、個人等の生産性を向上することができる。
【０１０７】
第２２発明に係るエリア別環境提供システムでは、周囲情報が入力されるので、個人等の周囲の状況を考慮した環境になるように個人等に促すことができる。このため、個人等の生産性を向上することができる。
【０１０８】
第２３発明に係るエリア別環境提供システムでは、周囲情報を詳細な情報とすることができるので、個人等の生産性を詳細に向上することができる。
【発明を実施するための最良の形態】
【０１０９】
［第１実施形態］
本発明の第１実施形態に係るエリア別環境提供システム１の概念図を図１，図２に示す。また、本発明の第１実施形態に係るエリア別環境提供システム１の各構成要素の構成図を図３に示す。図１に示すエリア別環境提供システム１は、主として空間群６０（６０ａ，６０ｂ，・・・）それぞれに温度環境を提供するためのシステムである。なお、空間群６０（６０ａ，６０ｂ，・・・）は、パーソナル空調機群５０（５０ａ，５０ｂ，・・・）の近傍空間である。
【０１１０】
＜エリア別環境提供システム１の全体構成＞
図１，図２に示すように、このエリア別環境提供システム１は、主としてパーソナル空調機群５０（５０ａ，５０ｂ，・・・）と覚醒度センサー群２０（２０ａ，２０ｂ，・・・）と端末装置群１０（１０ａ，１０ｂ，・・・）とを備える。覚醒度センサー群２０（２０ａ，２０ｂ，・・・）は、個人群７０（７０ａ，７０ｂ，・・・）の下に敷かれる。端末装置群１０（１０ａ，１０ｂ，・・・）は、パーソナル空調機群５０（５０ａ，５０ｂ，・・・）の作業台上に設置される。
【０１１１】
＜覚醒度センサー群２０（２０ａ，２０ｂ，・・・）の構成＞
図３に示すように、覚醒度センサー２０ａは、主として検出部２１ａと通知部２２ａとを備える。
【０１１２】
図３に示す検出部２１ａは、図２に示す空間６０ａに属する個人７０ａの覚醒度を検出する。図３に示す通知部２２ａは、図２に示す個人７０ａの覚醒度の情報を図３に示す検出部２１ａから受け取る。通知部２２ａは、図２に示す個人７０ａの覚醒度の情報を端末装置１０ａに通知する。
【０１１３】
他の覚醒度センサー２０ｂ，・・・も、覚醒度センサー２０ａと同様である。
【０１１４】
＜端末装置群１０（１０ａ，１０ｂ，・・・）の構成＞
図３に示すように、端末装置１０ａは、主として受取部１１ａ、第１記憶部１２ａ、制御部１４ａ、第１入力部１５ａ及び第２記憶部１７ａを備える。
【０１１５】
受取部１１ａは、図２に示す個人７０ａの覚醒度の情報を覚醒度センサー２０ａから受け取る。図３に示す受取部１１ａは、図２に示す個人７０ａの覚醒度の情報を制御部１４ａに渡す。第１入力部１５ａには、図２に示す個人７０ａの作業内容が入力される。図３に示す第１入力部１５ａは、作業内容の情報を制御部１４ａへ渡す。制御部１４ａは、第１記憶部１２ａを参照し、図５に示す相関関係から、図２に示す個人７０ａの作業内容に応じて決められる好適な覚醒度（以下、好適覚醒度とする）を決める。制御部１４ａは、好適覚醒度と、受取部１１ａから受け取った覚醒度と、を比較し、覚醒度が好適覚醒度に対して一定の範囲内であるか否かを判断する。覚醒度が好適覚醒度に対して一定の範囲内でないと判断した場合、制御部１４ａは、第２記憶部１７ａを参照し、空間６０ａに対して好ましい温度を図６に示す相関関係から決める。制御部１４ａは、空間６０ａに対して好ましい温度の情報をパーソナル空調機５０ａに渡す。
【０１１６】
他の端末装置１０ｂ，・・・も、端末装置１０ａと同様である。
【０１１７】
＜パーソナル空調機群５０（５０ａ，５０ｂ，・・・）の構成＞
図３に示すように、パーソナル空調機５０ａは、主として受取部５１ａと環境提供部５２ａとを備える。
【０１１８】
受取部５１ａは、端末装置１０ａから、図２に示す空間６０ａに対して好ましい温度の情報を受け取る。図３に示す受取部５１ａは、図２に示す空間６０ａに対して好ましい温度の情報を図３に示す環境提供部５２ａに渡す。環境提供部５２ａは、図２に示す空間６０ａに対して好ましい温度環境を提供する。
【０１１９】
他のパーソナル空調機５０ｂ，・・・も、パーソナル空調機５０ａと同様である。
【０１２０】
＜環境提供部群５２（５２ａ，５２ｂ，・・・）の構成＞
図３に示す環境提供部５２ａは、図２に示すように、主として圧縮機５２１ａ、凝縮器５２２ａ、蒸発器５２３ａ、クロスフローファン５２４ａ、プロペラファン５２５ａ、吹き出し口５２６ａ及び吸い込み口５２８ａを備える。このうち、圧縮機５２１ａ、凝縮器５２２ａ、蒸発器５２３ａ、クロスフローファン５２４ａ及びプロペラファン５２５ａは、パーソナル空調機５０ａの背面にある箱体５２７ａの中に内蔵される。吹き出し口５２６ａは、パーソナル空調機５０ａの前面パネルに設けられる。吸い込み口５２８ａは、パーソナル空調機５０ａの背面パネルに設けられる。吸い込み口５２８ａ、圧縮機５２１ａ、凝縮器５２２ａ及び蒸発器５２３ａを利用して生成された調和空気は、クロスフローファン５２４ａによって吹き出し口５２６ａを介して、空間６０ａに供給される。
【０１２１】
他の環境提供部５２ｂ，・・・も、環境提供部５２ａと同様である。
【０１２２】
＜第１記憶部群１２（１２ａ，１２ｂ，・・・）の構成＞
図３に示す第１記憶部１２ａは、作業内容と好適覚醒度との相関関係を記憶する。すなわち、第１記憶部１２ａは、図５に示すように、対象１７１ａと作業内容１７２ａと好適覚醒度１７３ａとの相関関係を記憶する。この相関関係を参照することにより、作業内容１７２ａに対応した好適覚醒度１７３ａが決められる。
【０１２３】
対象１７１ａは、主としてデフォルト又は個人７０ａである。デフォルトは、その好適覚醒度がデフォルトの値であることを示す。個人７０ａは、その好適覚醒度がカスタマイズされた値であることを示す。
【０１２４】
作業内容１７２ａは、主として単純作業又は複雑作業である。単純作業は、単純な作業である。複雑作業は、複雑な作業である。
【０１２５】
他の第１記憶部１２ｂ，・・・も、第１記憶部１２ａと同様である。
【０１２６】
＜第２記憶部群１７（１７ａ，１７ｂ，・・・）の構成＞
図３に示す第２記憶部１７ａは、空調温度と覚醒度との相関関係を記憶する。すなわち、第２記憶部１７ａは、図６に示すように、グラフ１７１を記憶する。この相関関係を参照することにより、空間６０ａに好ましい温度が決められる。例えば、好適覚醒度がＫ１０である場合、空間６０ａに好ましい温度はＴ１０である。好適覚醒度がＫ２０である場合、空間６０ａに好ましい温度はＴ２０である。
【０１２７】
他の第２記憶部１７ｂ，・・・も、第２記憶部１７ａと同様である。
【０１２８】
＜エリア別環境提供システム１が空間群６０（６０ａ，６０ｂ，・・・）それぞれに温度環境を提供する処理の流れ＞
図１に示すエリア別環境提供システム１が空間群６０（６０ａ，６０ｂ，・・・）それぞれに温度環境を提供する処理の流れを、図４に示すフローチャートを用いて説明する。ここでは、エリア別環境提供システム１が空間６０ａに温度環境を提供する場合について説明する。エリア別環境提供システム１が他の空間６０ｂ，・・・に温度環境を提供する場合についても同様である。
【０１２９】
図４に示すステップＳ１では、作業内容が入力される。すなわち、図３に示す第１入力部１５ａに、図２に示す個人７０ａの作業内容が入力される。
【０１３０】
図４に示すステップＳ３では、覚醒度が検出される。すなわち、図３に示す検出部２１ａにより、図２に示す空間６０ａに属する個人７０ａの覚醒度が検出される。図３に示す通知部２２ａにより、図２に示す個人７０ａの覚醒度の情報が図３に示す検出部２１ａから受け取られる。通知部２２ａにより、図２に示す個人７０ａの覚醒度の情報が端末装置１０ａに通知される。
【０１３１】
図４に示すステップＳ４では、好適覚醒度が参照される。すなわち、受取部１１ａにより、図２に示す個人７０ａの覚醒度の情報が覚醒度センサー２０ａから受け取られる。図３に示す受取部１１ａにより、図２に示す個人７０ａの覚醒度の情報が制御部１４ａに渡される。図３に示す第１入力部１５ａにより、作業内容の情報が制御部１４ａへ渡される。制御部１４ａにより、第１記憶部１２ａが参照され、図５に示す相関関係から、図２に示す個人７０ａの好適覚醒度が決められる。例えば、個人７０ａによりカスタイマズされた好適覚醒度がない場合で作業内容が単純作業である場合は、図５に示す相関関係から、好適覚醒度がＫ１０であると決められる。
【０１３２】
図４に示すステップＳ５では、覚醒度が好適覚醒度であるか否かが判断される。すなわち、制御部１４ａにより、好適覚醒度と受取部１１ａから受け取った覚醒度とが比較され、覚醒度が好適覚醒度に対して一定の範囲内であるか否かが判断される。覚醒度が好適覚醒度であると判断された場合は、ステップＳ８へ進められ、覚醒度が好適覚醒度でないと判断された場合は、ステップＳ６へ進められる。
【０１３３】
図４に示すステップＳ６では、空間６０ａに対して好ましい温度が決定される。すなわち、制御部１４ａにより、第２記憶部１７ａが参照され、空間６０ａに対して好ましい温度が図６に示す相関関係から決められる。制御部１４ａにより、空間６０ａに対して好ましい温度の情報がパーソナル空調機５０ａに渡される。
【０１３４】
図４に示すステップＳ７では、温度環境が提供される。すなわち、図３に示す受取部５１ａにより、端末装置１０ａから、空間６０ａに対して好ましい温度の情報が受け取られる。受取部５１ａにより、空間６０ａに対して好ましい温度の情報が環境提供部５２ａに渡される。環境提供部５２ａにより、図３に示す空間６０ａに対して好ましい温度環境が提供される。
【０１３５】
図４に示すステップＳ８では、環境の提供が終了されるべきか否かが判断される。終了されるべきであると判断された場合は、処理が終了され、終了されるべきでないと判断された場合は、ステップＳ１へ進められる。
【０１３６】
＜エリア別環境提供システム１に関する特徴＞
（１）
ここでは、図５に示す好適覚醒度１７３ａが、図２に示す空間６０ａに属する個人７０ａの図５に示す作業内容１７２ａに応じて決められる好適な覚醒度である。図３に示す検出部２１ａが、図２に示す空間６０ａに属する個人７０ａに関する覚醒度を検出する。覚醒度と好適覚醒度とに基づいて、図２に示す空間６０ａに対して好ましい温度を決める。図３に示す環境提供部５２ａが、図２に示す空間６０ａに対して好ましい温度の情報を、受け取る。図３に示す環境提供部５２ａが、図２に示す空間６０ａに対して好ましい温度環境を提供する。
【０１３７】
したがって、図２に示す個人７０ａの作業内容に応じて好適覚醒度が異なる場合でも、覚醒度が好適覚醒度になるように温度環境が提供される。このため、個人７０ａの生産性が向上される。
【０１３８】
（２）
ここでは、図３に示す検出部２１ａが、図２に示す空間６０ａに属する個人７０ａに関する覚醒度を検出する。第１記憶部１２ａが、図５に示すような、作業内容と好適覚醒度との相関関係を記憶する。制御部１４ａが、検出部２１ａが検出した覚醒度と、第１記憶部１２ａを参照することにより決められる好適覚醒度と、に基づいて、図２に示す空間６０ａに対して好ましい温度を決める。環境提供部５２ａが、図２に示す空間６０ａに対して好ましい温度の情報を、受け取る。環境提供部５２ａが、図２に示す空間６０ａに対して好ましい温度環境を提供する。
【０１３９】
したがって、図２に示す個人７０ａの作業内容毎に好適覚醒度を記憶しているので、作業内容に応じて好適覚醒度が決められる。
【０１４０】
（３）
ここでは、図３に示す第１入力部１５ａに、図２に示す個人７０ａの作業内容が入力される。第１記憶部１２ａが、作業内容と好適覚醒度との相関関係を記憶する。
【０１４１】
したがって、第１入力部１５ａに入力された作業内容と、第１記憶部１２ａが記憶している相関関係と、から、好適覚醒度が決められる。このため、作業内容に応じて好適覚醒度が決められる。
【０１４２】
（４）
ここでは、図３に示す第１記憶部１２ａが、個人７０ａ，７０ｂ，・・・ごとに、図５に示す作業内容１７２ａ，１７２ｂ，・・・と好適覚醒度１７３ａ，１７３ｂ，・・・との相関関係を記憶する。
【０１４３】
したがって、作業内容１７２ａ，１７２ｂ，・・・と好適覚醒度１７３ａ，１７３ｂ，・・・との相関関係を個人７０ａ，７０ｂ，・・・毎に記憶しているので、好適覚醒度が個人７０ａ，７０ｂ，・・・毎に異なる場合でも、作業内容に応じて好適覚醒度が決められる。
【０１４４】
（５）
ここでは、図５に示す作業内容１７２ａが、単純作業と複雑作業とを含む。好適覚醒度１７３ａが、図２に示す空間６０ａに属する個人７０ａの作業内容に応じて決められる好適な覚醒度である。検出部２１ａが、図２に示す空間６０ａに属する個人７０ａに関する覚醒度を検出する。覚醒度と好適覚醒度とに基づいて、図２に示す空間６０ａに対して好ましい温度を決める。環境提供部５２ａが、図２に示す空間６０ａに対して好ましい温度の情報を、受け取る。環境提供部５２ａが、図２に示す空間６０ａに対して好ましい温度環境を提供する。
【０１４５】
したがって、図２に示す個人７０ａの作業内容が単純作業であるか複雑作業であるかに応じて好適覚醒度が異なる場合でも、覚醒度が好適覚醒度になるように環境が提供される。このため、個人７０ａの生産性が向上される。
【０１４６】
＜第１実施形態の変形例＞
（Ａ）図５に示す複雑作業は、例えば、ＣＡＤによる設計作業であってもよいし、ソフトウェアのプログラミング作業であってもよいし、特許明細書の作成作業であってもよい。図５に示す単純作業は、例えば、データベースへの入力作業であってもよいし、事務書類作成作業であってもよいし、伝票の入力作業であってもよいし、文書のワープロでの清書作業であってもよい。図１，図２に示す覚醒度センサー２０ａは、非接触で個人７０ａの心電を測定することにより、個人７０ａの覚醒度を検出するものであるが、接触型であってもよい。すなわち、個人７０ａの皮膚表面に電極を貼り付けることにより、個人７０ａの心電が測定され、それにより個人７０ａの覚醒度が検出されるようなものであってもよい。あるいは、別の方法により個人７０ａの覚醒度を検出するものであってもよい。
【０１４７】
（Ｂ）図３に示す端末装置１０ａは、第３記憶部１３ａと第２入力部１６ａとをさらに備えてもよい。第２入力部１６ａには、環境による効果が入力される。第３記憶部１３ａは、環境による効果の情報を第２入力部１６ａから受け取る。第３記憶部１３ａは、覚醒度の情報を制御部１４ａから受け取る。第３記憶部１３ａは、環境による効果と覚醒度との相関関係を記憶する。環境による効果と覚醒度との相関関係は、例えば、図９に示すグラフ１３１のようになる。したがって、第３記憶部１３ａを参照することにより、好適覚醒度がＫ５であると求められる。
【０１４８】
この場合、図１に示すエリア別環境提供システム１が空間群６０（６０ａ，６０ｂ，・・・）それぞれに温度環境を提供する処理の流れが、次の点で第１実施形態と異なる。なお、図１に示すエリア別環境提供システム１が空間６０ａに温度環境を提供する場合について説明するが、エリア別環境提供システム１が他の空間６０ｂ，・・・に温度環境を提供する場合についても同様である。図７，図８において、図４に示す第１実施形態と同様の処理は、同じ番号で示してある。
【０１４９】
図８に示すステップＳ１０では、環境による効果が入力される。すなわち、図３に示す第２入力部１６ａに、環境による効果が入力される。
【０１５０】
図８に示すステップＳ１１では、環境による効果と覚醒度との相関関係が記憶される。すなわち、図３に示す第３記憶部１３ａにより、環境による効果の情報が第２入力部１６ａから受け取られる。第３記憶部１３ａにより、覚醒度の情報が制御部１４ａから受け取られる。第３記憶部１３ａにより、図９に示すような、環境による効果と覚醒度との相関関係が記憶される。
【０１５１】
図８に示すステップＳ１２では、好適覚醒度が更新される。すなわち、図３に示す制御部１４ａにより、第３記憶部１３ａが参照され、図９に示すような相関関係から好適覚醒度が求められる。制御部１４ａにより、第１記憶部１２ａにアクセスされ、図５に示す対象１７１ａが個人７０ａである行のうち、第１入力部１５０ａに入力された作業内容に対応する好適覚醒度１７３ａの値Ｋ３０，Ｋ４０が、図９に示すＫ５へと上書きされる。
【０１５２】
したがって、環境による効果と覚醒度との相関関係を記憶しているので、環境による効果が最大になる覚醒度を把握することができる。このため、好適覚醒度を求めることができる。
【０１５３】
なお、環境による効果は、例えば、個人等の作業量など客観的なものでもいいし、例えば、個人等の印象など主観的なものでもいい。
【０１５４】
（Ｃ）図３に示す第１入力部１５ａには、個人７０ａの作業内容だけでなく、個人７０ａの作業内容が属している時期が入力されてもよい。この場合、第１記憶部１２ａが記憶している相関関係は、図１１に示すようになる。すなわち、第１記憶部１２ａが記憶している相関関係は、作業内容が属している時期１７４ａをさらに備えることになる。
【０１５５】
また、この場合、図１に示すエリア別環境提供システム１が空間群６０（６０ａ，６０ｂ，・・・）それぞれに温度環境を提供する処理の流れが、次の点で第１実施形態と異なる。なお、図１に示すエリア別環境提供システム１が空間６０ａに温度環境を提供する場合について説明するが、エリア別環境提供システム１が他の空間６０ｂ，・・・に温度環境を提供する場合についても同様である。図１０において、図４に示す第１実施形態と同様の処理は、同じ番号で示してある。
【０１５６】
図１０に示すステップＳ２１では、作業内容が属している時期が入力される。すなわち、図３に示す第１入力部１５ａに、個人７０ａの作業内容が属している時期が入力される。
【０１５７】
図１０に示すステップＳ２２では、好適覚醒度が参照される。すなわち、受取部１１ａにより、図２に示す個人７０ａの覚醒度の情報が覚醒度センサー２０ａから受け取られる。図３に示す受取部１１ａにより、図２に示す個人７０ａの覚醒度の情報が制御部１４ａに渡される。図３に示す第１入力部１５ａにより、作業内容の情報と作業内容が属している時期の情報とが制御部１４ａへ渡される。制御部１４ａにより、第１記憶部１２ａが参照され、図１１に示す相関関係から、図２に示す個人７０ａの好適覚醒度と決められる。
【０１５８】
ここで、作業内容が属している時期は、初期適応期、適応持続期、競合期、外乱影響期、終期及び休息期の少なくとも一つである。初期適応期は、作業を開始したときから、作業を開始して一定時間経過したときまでである。初期適応期は、初期緊張があり、覚醒度が高く、機能と能力を高めながら適応持続期に向かうときである。適応持続期は、作業を開始して一定時間経過したときから、作業に慣れてきたときまでである。適応持続期は、適度の緊張と覚醒度が続き、正確さを保って作業がはかどるときである。競合期は、作業を行っているときに別の作業が入ってきて、作業が競合しているときである。外乱影響期は、作業を行っているときに、作業の納期が早まるなどの外乱が入ってきたときである。外乱影響期は、作業ミスや緊急の作業による事態の混乱が発生したときである。終期は、作業の終わりを意識しだしたときから、作業が終わるときまでである。終期は、作業終了に向けて一定の機能レベルの回復（終末スパート効果）があるときである。休息期は、作業を休んで、休息を取っているときである。
【０１５９】
したがって、作業内容が属している時期と作業内容とに応じて好適覚醒度が異なる場合でも、覚醒度が好適覚醒度になるように温度環境が提供される。このため、個人７０ａの生産性が向上される。
【０１６０】
（Ｄ）エリア別環境提供システム１は、図１，図２，図３に示す温度センサー群４０（４０ａ，４０ｂ，・・・）をさらに備えてもよい。温度センサー４０ａは、主として検出部４１ａと通知部４２ａとを備える。図３に示す検出部４１ａは、図２に示す空間６０ａ付近の温度を検出する。図３に示す通知部４２ａは、図２に示す空間６０ａ付近の温度の情報を図３に示す検出部４１ａから受け取る。通知部４２ａは、図２に示す空間６０ａ付近の温度の情報を端末装置１０ａに通知する。他の温度センサー４０ｂ，・・・も、温度センサー４０ａと同様である。
【０１６１】
この場合、図１に示すエリア別環境提供システム１が空間群６０（６０ａ，６０ｂ，・・・）それぞれに温度環境を提供する処理の流れが、次の点で第１実施形態と異なる。なお、図１に示すエリア別環境提供システム１が空間６０ａに温度環境を提供する場合について説明するが、エリア別環境提供システム１が他の空間６０ｂ，・・・に温度環境を提供する場合についても同様である。図１２，図１３において、図４に示す第１実施形態と同様の処理は、同じ番号で示してある。
【０１６２】
図１２に示すステップＳ３２では、温度が検出される。すなわち、図３に示す検出部４１ａにより、図２に示す空間６０ａ付近の温度が検出される。図３に示す通知部４２ａにより、図２に示す空間６０ａ付近の温度の情報が図３に示す検出部４１ａから受け取られる。通知部４２ａにより、図２に示す空間６０ａ付近の温度の情報が端末装置１０ａに通知される（図１２，図１３に示す（２））。
【０１６３】
図１３に示すステップＳ３３では、電力量が計算される。すなわち、図３に示す制御部１４ａにより、図２に示す空間６０ａに対して好ましい温度と、図２に示す空間６０ａ付近の温度とから、パーソナル空調機５０ａにおける所定時間（例えば、１時間）の運転に要する電力量が計算される。
【０１６４】
図１３に示すステップＳ３４では、電力量が目標上限値を超えているか否かが判断される。すなわち、制御部１４ａにより、計算された電力量と目標電力量上限値とが比較され、電力量が目標電力量より大きいか否かが判断される。電力量が目標電力量上限値を超えていると判断された場合は、ステップＳ３５へ進められ、電力量が目標電力量上限値を超えていないと判断された場合は、ステップＳ７へ進められる。
【０１６５】
図１３に示すステップＳ３５では、図２に示す空間６０ａに対して好ましい温度が変更される。すなわち、パーソナル空調機５０ａにおける所定時間（例えば、１時間）の運転に要する電力量が目標電力量上限値となるように、図２に示す空間６０ａに対して好ましい温度が変更される。
【０１６６】
したがって、省エネルギー化を図りながら、覚醒度が好適覚醒度になるように温度環境が提供される。このため、省エネルギー化を図りながら、個人７０ａの生産性が向上される。
【０１６７】
（Ｅ）上記変形例（Ｄ）において、エリア別環境提供システム１は、図１，図２，図３に示す温度センサー群４０（４０ａ，４０ｂ，・・・）を備えなくてもよい。すなわち、図３に示す制御部１４ａは、第２記憶部１７ａを参照して、図６に示すグラフ１７１から温度を推定してもよい。例えば、検出部２１ａが検出した覚醒度がＫ１である場合、図６に示すグラフ１７１から、温度がＴ１であると推定される。この場合でも、省エネルギー化を図りながら、覚醒度が好適覚醒度になるように環境が提供される。このため、省エネルギー化を図りながら、個人等の生産性が向上される。
【０１６８】
（Ｆ）図３に示す第２記憶部１７ａに記憶されている図６に示す相関関係は、更新されるようにしてもよい。すなわち、第２記憶部１７ａが、環境提供部５２ａがそれぞれのエリアに対して提供した温度環境の情報を、環境提供部５２ａから受取部５１ａと制御部１４ａとを経由して、取得する。第２記憶部１７ａが、検出部２１ａが検出した覚醒度の情報を受け取る。第２記憶部１７ａが、温度と覚醒度との相関関係を更新して記憶する。この場合、図４に示すステップＳ７のあとに、第２記憶部により、温度と覚醒度との相関関係が更新され記憶されることになる。したがって、提供された温度環境と検出された覚醒度との相関関係を記憶するので、温度と覚醒度との相関関係が正確に把握される。このため、覚醒度が好適覚醒度になるように環境が提供されることが容易になる。
【０１６９】
（Ｇ）図１，図２，図３に示すパーソナル空調機群５０（５０ａ，５０ｂ，・・・）が空間群６０（６０ａ，６０ｂ，・・・）に提供する環境は、温度環境の代わりに、湿度環境であってもいいし、気流環境であってもいいし、温度環境と湿度環境と気流環境との少なくとも２つ以上を組み合わせたものであってもいい。図１，図２，図３に示すパーソナル空調機群５０（５０ａ，５０ｂ，・・・）は、照明装置群であってもいい。この場合、空間群６０（６０ａ，６０ｂ，・・・）には温度環境の代わりに照明環境が提供されることになる。図１，図２，図３に示すパーソナル空調機群５０（５０ａ，５０ｂ，・・・）は、発臭装置群であってもいい。この場合、空間群６０（６０ａ，６０ｂ，・・・）には温度環境の代わりに臭いの環境が提供されることになる。図１，図２，図３に示すパーソナル空調機群５０（５０ａ，５０ｂ，・・・）は、音響装置群であってもいい。この場合、空間群６０（６０ａ，６０ｂ，・・・）には温度環境の代わりに音響環境が提供されることになる。あるいは、図１，図２，図３に示すパーソナル空調機群５０（５０ａ，５０ｂ，・・・）は、覚醒度に影響を与える装置であればどのような装置であってもよい。
【０１７０】
（Ｈ）図３に示す端末装置１０ａは、第４入力部１８ａをさらに備えてもよい。第４入力部１８ａに、作業性優先モードと健康優先モードとのいずれかが入力される。制御部１４ａは、作業性優先モードと健康優先モードとのいずれかの情報を第４入力部１８ａから受け取る。第４入力部１８ａに、スピード優先モードと正確さ優先モードとのいずれかがさらに入力される。制御部１４ａは、スピード優先モードと正確さ優先モードとのいずれかの情報を第４入力部１８ａから受け取る。制御部１４ａは、スピード優先モードと健康優先モードとのいずれかの情報に基づいて、図２に示す空間６０ａに対して好ましい温度を変更する。
【０１７１】
この場合、図１に示すエリア別環境提供システム１が空間群６０（６０ａ，６０ｂ，・・・）それぞれに温度環境を提供する処理の流れが、次の点で第１実施形態と異なる。なお、図１に示すエリア別環境提供システム１が空間６０ａに温度環境を提供する場合について説明するが、エリア別環境提供システム１が他の空間６０ｂ，・・・に温度環境を提供する場合についても同様である。図１４，図１５において、図４に示す第１実施形態と同様の処理は、同じ番号で示してある。
【０１７２】
図１４に示すステップＳ７１では、制御モードが入力される。すなわち、図３に示す第４入力部１８ａに、作業性優先モードと健康優先モードとのいずれかが入力される。制御部１４ａにより、作業性優先モードと健康優先モードとのいずれかの情報が第４入力部１８ａから受け取られる（図１４，図１５で示す（２））。
【０１７３】
図１５に示すステップＳ７２では、制御モードが作業性優先モードであるか否かが判断される。すなわち、図３に示す制御部１４ａにより、制御モードが作業性優先モードであるか否かが判断される。作業性優先モードであると判断された場合、ステップＳ７３へ進められ、作業性優先モードでないと判断された場合、ステップＳ７４へ進められる。
【０１７４】
図１５に示すステップＳ７３では、制御モードがさらに入力される。すなわち、図３に示す第４入力部１８ａに、スピード優先モードと正確さ優先モードとのいずれかがさらに入力される。制御部１４ａにより、スピード優先モードと正確さ優先モードとのいずれかの情報が第４入力部１８ａから受け取られる。
【０１７５】
図１５に示すステップＳ７４では、好ましい温度が変更される。すなわち、図１に示す個人７０ａのストレス度が低減されるように、図２に示す空間６０ａに対して好ましい温度が変更される。
【０１７６】
図１５に示すステップＳ７５では、制御モードがスピード優先モードであるか否かが判断される。すなわち、図３に示す制御部１４ａにより、制御モードがスピード優先モードであるか否かが判断される。スピード優先モードであると判断された場合、ステップＳ７６へ進められ、スピード優先モードでないと判断された場合、ステップＳ７へ進められる。
【０１７７】
図１５に示すステップＳ７６では、好ましい温度が変更される。すなわち、図３に示す制御部１４ａにより、図１に示す個人７０ａの覚醒度が上昇するように、図２に示す空間６０ａに対して好ましい温度が変更される。
【０１７８】
したがって、作業性優先モードと健康優先モードとのいずれかが入力されるので、個人７０ａ，・・・の意志により個人７０ａ，・・・の状況に適したモードで環境を提供することができる。このため、個人７０ａ，・・・の生産性を長期的な観点から向上することができる。また、作業性優先モードが入力された場合にスピード優先モードと正確さ優先モードとのいずれかがさらに入力されるので、作業性が優先される方法を詳細に考慮して好ましい環境を決めることができる。
【０１７９】
なお、第４入力部１８ａに入力された制御モードの情報の履歴が記憶され、第４入力部１８ａに連続して所定回数又は所定期間以上同じ制御モードが入力されないように、制御部１４ａにより制御されてもよい。
【０１８０】
（Ｉ）図３に示す端末装置１０ａは、第５入力部１９ａをさらに備えてもよい。第５入力部１９ａに、周囲情報が入力される。ここで、周囲情報は、個人７０ａ，・・・の周囲の状況に関する情報である。制御部１４ａは、周囲情報を第５入力部１９ａから受け取る。制御部１４ａは、周囲情報に基づいて、制御モードを決定する。制御部１４ａは、制御モードの情報に基づいて、図２に示す空間６０ａに対して好ましい温度を変更する。
【０１８１】
なお、周囲情報は、花粉情報、ドライアイ情報及び疾病情報の少なくとも１つを含んでいてもよい。ここで、花粉情報は、花粉の発生状態に関する情報である。ドライアイ情報は、ドライアイの発生しやすさに関する情報である。例えば、ドライアイ情報は、湿度の情報である。疾病情報は、空気感染する疾病の流行状態に関する情報である。
【０１８２】
この場合、図１に示すエリア別環境提供システム１が空間群６０（６０ａ，６０ｂ，・・・）それぞれに環境を提供する処理の流れが、次の点で第１実施形態と異なる。なお、図１に示すエリア別環境提供システム１が空間６０ａに温度環境を提供する場合について説明するが、エリア別環境提供システム１が他の空間６０ｂ，・・・に温度環境を提供する場合についても同様である。図１６，図１７において、図４に示す第１実施形態と同様の処理は、同じ番号で示してある。
【０１８３】
図１６に示すステップＳ８０では、好ましい環境が決定される。すなわち、図３に示す制御部１４ａにより、第２記憶部１７ａが参照され、空間６０ａに対して好ましい環境が図６に示す相関関係から決められる。ここで、環境は、温度・湿度・換気量・風量である。制御部１４ａにより、空間６０ａに対して好ましい温度の情報がパーソナル空調機５０ａに渡される。
【０１８４】
図１６に示すステップＳ８１では、周囲情報が入力される。すなわち、図３に示す第５入力部１９ａに、周囲情報が入力される。ここで、周囲情報は、個人７０ａ，・・・の周囲の状況に関する情報である。周囲情報は、花粉情報、ドライアイ情報及び疾病情報である。制御部１４ａにより、周囲情報に基づいて、制御モードが決定される。例えば、周囲情報が花粉情報である場合、花粉モードが決定される。例えば、周囲情報がドライアイ情報である場合、ドライアイモードが決定される。例えば、周囲情報が疾病情報である場合、疾病モードが決定される（図１６，図１７で示す（２））。
【０１８５】
図１７に示すステップＳ８２では、制御モードが何であるかが判断される。すなわち、図３に示す制御部１４ａにより、制御モードが何であるかが判断される。制御モードが花粉モードである場合、ステップＳ８３へ進められる。制御モードがドライアイモードである場合、ステップＳ８４へ進められる。制御モードが疾病モードである場合、ステップＳ８５へ進められる。
【０１８６】
図１７に示すステップＳ８３では、好ましい環境が変更される。すなわち、図３に示す制御部１４ａにより、パーソナル空調機５０ａによる換気量が低減するように、図２に示す空間６０ａに対して好ましい環境が変更される。
【０１８７】
図１７に示すステップＳ８４では、好ましい環境が変更される。すなわち、図３に示す制御部１４ａにより、パーソナル空調機５０ａから吹き出される空調空気の風量が低減するように、また図２に示す空間６０ａの湿度を下げすぎないように、空間６０ａに対して好ましい環境が変更される。
【０１８８】
図１７に示すステップＳ８５では、好ましい環境が変更される。すなわち、図３に示す制御部１４ａにより、パーソナル空調機５０ａによる換気量が低減するように、また図２に示す空間６０ａの湿度が疾病感染を促進しない湿度になるように、空間６０ａに対して好ましい環境が変更される。
【０１８９】
したがって、周囲情報が入力されるので、個人７０ａ，・・・の周囲の状況を考慮して環境を提供することができる。このため、個人７０ａ，・・・の生産性を向上することができる。また、周囲情報を詳細な情報とすることができるので、個人７０ａ，・・・の生産性を詳細に向上することができる。
【０１９０】
［第２実施形態］
本発明の第２実施形態に係るエリア別環境提供システム１００を図１８に示す。また、エリア別環境提供システム１００の各構成要素の構成図を図１９に示す。図１８，図１９において、図１，図２，図３のエリア別環境提供システム１の構成要素と同様の構成要素は同じ番号で示してある。図１８に示すエリア別環境提供システム１００は、主として空間群６０（６０ａ，６０ｂ，・・・）それぞれに、主として温度環境と照明環境と臭いの環境とを提供するためのシステムである。
【０１９１】
このエリア別環境提供システム１００は、図１８，図１９に示すように、基本的な構造は第１実施形態と同様であり各構成要素は図３と同様であるが、照明装置群１８０（１８０ａ，１８０ｂ，・・・）と発臭装置群１３０（１３０ａ，１３０ｂ，・・・）とがさらに備えられている点で構成が異なる。すなわち、図１９に示すように、照明装置１８０ａは、主として受取部１８１ａと環境提供部１８２ａとを備える。発臭装置１３０ａは、主として受取部１３１ａと環境提供部１３２ａとを備える。第２記憶部１１７ａは、主として図２２に示す制御モード１１８ａと環境１１９ａと優先順位１２０ａとを記憶する。図１９に示す第１入力部１５ａには、制御モードが入力される。ここで、制御モードは、主として省エネ重視モードと効果重視モードとである。制御部１１４ａは、制御モードの情報を第１入力部１５ａから受け取る。制御部１１４ａは、第２記憶部１１７ａを参照し、図２２に示す制御モードと優先順位との相関関係から、温度環境と照明環境と臭いの環境との優先順位を決める。制御部１１４ａは、その優先順位に応じて、空間６０ａに対して好ましい温度環境と、空間６０ａに対して好ましい照明環境と、空間６０ａに対して好ましい臭いの環境と、を決める。これらの点で第１実施形態と異なる。なお、他の照明装置１８０ｂ，・・・についても、照明装置１８０ａと同様である。他の発臭装置１３０ｂ，・・・についても、発臭装置１３０ａと同様である。
【０１９２】
また、図１８に示すエリア別環境提供システム１００が空間群６０（６０ａ，６０ｂ，・・・）それぞれに温度環境を提供する処理の流れが、次の点で第１実施形態と異なる。なお、図１８に示すエリア別環境提供システム１００が空間６０ａに温度環境を提供する場合について説明するが、エリア別環境提供システム１００が他の空間６０ｂ，・・・に温度環境を提供する場合についても同様である。図２０，図２１において、図４に示す第１実施形態と同様の処理は、同じ番号で示してある。
【０１９３】
図２０に示すステップＳ４１では、制御モードが入力される。すなわち、図３に示す第１入力部１５ａに、制御モードが入力される。
【０１９４】
図２０に示すステップＳ４２では、制御モードが省エネ重視モードであるか否かが判断される。省エネ重視モードであると判断された場合は、ステップＳ４４へ進められ、省エネ重視モードでないと判断された場合は、ステップＳ４３へ進められる。
【０１９５】
図２０に示すステップＳ４３では、図１８に示す空間６０ａに対して好ましい環境が効果重視モードで決定される。すなわち、制御部１１４ａにより、制御モードが効果重視モードである旨の情報が第１入力部１５ａから受け取られる。制御部１１４ａにより、第２記憶部１１７ａが参照され、図２２に示す制御モードと優先順位との相関関係から、温度環境の優先順位が１であり、照明環境の優先順位が２であり、臭いの環境の優先順位が３であると決められる。制御部１１４ａにより、その優先順位に応じて、空間６０ａに対して好ましい温度環境と、空間６０ａに対して好ましい照明環境と、空間６０ａに対して好ましい臭いの環境と、が決められる。
【０１９６】
図２０に示すステップＳ４４では、図１８に示す空間６０ａに対して好ましい環境が省エネ重視モードで決定される。すなわち、制御部１１４ａにより、制御モードが省エネ重視モードである旨の情報が第１入力部１５ａから受け取られる。制御部１１４ａにより、第２記憶部１１７ａが参照され、図２２に示す制御モードと優先順位との相関関係から、温度環境の優先順位が３であり、照明環境の優先順位が２であり、臭いの環境の優先順位が１であると決められる。制御部１１４ａにより、その優先順位に応じて、空間６０ａに対して好ましい温度環境と、空間６０ａに対して好ましい照明環境と、空間６０ａに対して好ましい臭いの環境と、が決められる。
【０１９７】
好適覚醒度が作業内容に応じて異なる場合でも、覚醒度が好適覚醒度になるように温度環境が提供される点は、第１実施形態と同様である。したがって、このようなエリア別環境提供システム１００によっても、個人７０ａの生産性が向上される。
【０１９８】
＜第２実施形態の変形例＞
（Ａ）制御部１１４ａが優先順位を決める環境は、温度環境と照明環境と臭いの環境と音響環境と覚醒度に影響を与える他の環境との少なくとも２つ以上を組み合わせたものであってもよい。制御部１１４ａが優先順位を決める環境の種類の数は、３つでなくもてよい。２つでもいいし、４つ以上でもよい。
【０１９９】
（Ｂ）図１９に示す第１入力部１５ａに、制御モードが入力されなくてもよい。この場合、制御部１１４ａは、デフォルトの制御モードで、温度環境と照明環境と臭いの環境との優先順位を決めてもよい。
【０２００】
［第３実施形態］
本発明の第３実施形態に係るエリア別環境管理システム２００を図２３に示す。また、エリア別環境提供システム２００の各構成要素の構成図を図２４に示す。図２３，図２４において、図１，図２，図３のエリア別環境提供システム１の構成要素と同様の構成要素は同じ番号で示してある。図２３に示すエリア別環境提供システム２００は、主として空間群６０（６０ａ，６０ｂ，・・・）それぞれに、主として温度環境を提供するためのシステムである。
【０２０１】
このエリア別環境提供システム２００は、図２３，図２４に示すように、基本的な構造は第１実施形態と同様であり各構成要素は図３と同様であるが、ネットワーク２０５と集中管理センター２９０とがさらに備えられている点で構成が異なる。すなわち、図２４に示すように、ネットワーク２０５は、覚醒度センサー２０ａ，２０ｂ，・・・と集中管理センター２９０とを接続する。集中管理センター２９０は、主として集中管理部２９１を備える。集中管理部２９１は、通知部２２２ａ，２２２ｂ，・・・とネットワーク２０５とを経由して、検出部２１ａ，２１ｂ，・・・から覚醒度の情報を受け取る。集中管理部２９１は、覚醒度を集中的に管理する。したがって、覚醒度を集中的に管理するので、医師等により個人７０ａ，７０ｂ，・・・の状況が容易に把握される。
【０２０２】
好適覚醒度が作業内容に応じて異なる場合でも、覚醒度が好適覚醒度になるように温度環境が提供される点は、第１実施形態と同様である。したがって、このようなエリア別環境提供システム２００によっても、個人７０ａ，７０ｂ，・・・の生産性が向上される。
【０２０３】
＜第３実施形態の変形例＞
（Ａ）図２３に示すネットワーク２０５は、有線回線であってもいいし、無線回線であってもいい。
【０２０４】
（Ｂ）図２４に示す集中管理センター２９０は、第４入力部１８ａに入力された制御モードの情報を、ネットワーク２０５経由でさらに受け取ってもよい。このとき、集中管理センター２９０で第４入力部１８ａに入力された制御モードの履歴を記憶して、連続して所定回数又は所定期間以上同じ制御モードの入力を受け付けないようにしてもよい。
【０２０５】
［第４実施形態］
本発明の第４実施形態に係るエリア別環境管理システム３００を図２５に示す。また、エリア別環境管理システム３００の各構成要素の構成図を図２６に示す。図２５，図２６において、図１，図２，図３のエリア別環境提供システム１の構成要素と同様の構成要素は同じ番号で示してある。図２５に示すエリア別環境管理システム３００は、主として空間群６０（６０ａ，６０ｂ，・・・）それぞれの、主として温度環境を管理するためのシステムである。
【０２０６】
このエリア別環境管理システム３００は、図２５，図２６に示すように、基本的な構造は第１実施形態と同様であり各構成要素は図３と同様であるが、パーソナル空調機群５０（５０ａ，５０ｂ，・・・）を備えておらず、端末装置３１０ａが報知部３１８ａをさらに備える点で構成が異なる。すなわち、図２６に示すように、報知部３１８ａが、制御部１４ａから、図２５に示す空間６０ａに対して好ましい温度の情報を受け取る。報知部３１８ａが、図２５に示す空間６０ａに対して好ましい温度を報知する。具体的には、図２５に示す空間６０ａに対して好ましい温度が、端末装置３１０ａの表示画面（図示せず）に映し出される。端末装置３１０ｂ，・・・についても、端末装置３１０ａと同様である。これらの点で第１実施形態と異なる。
【０２０７】
また、図２５に示すエリア別環境管理システム３００が空間群６０（６０ａ，６０ｂ，・・・）それぞれに温度環境を提供する処理の流れが、次の点で第１実施形態と異なる。なお、図２５に示すエリア別環境管理システム３００が空間６０ａに温度環境を提供する場合について説明するが、エリア別環境管理システム３００が他の空間６０ｂ，・・・に温度環境を提供する場合についても同様である。図２７において、図４に示す第１実施形態と同様の処理は、同じ番号で示してある。
【０２０８】
図２７に示すステップＳ５１では、報知がなされる。すなわち、図２６に示す報知部３１８ａにより、制御部１４ａから、図２５に示す空間６０ａに対して好ましい温度の情報が受け取られる。報知部３１８ａにより、図２５に示す空間６０ａに対して好ましい温度が報知される。
【０２０９】
好適覚醒度が作業内容に応じて異なる場合でも、覚醒度が好適覚醒度になるように温度環境が報知されるので、覚醒度が好適覚醒度になるように温度環境を提供することが可能となる点は、第１実施形態と同様である。したがって、このようなエリア別環境管理システム３００によっても、個人７０ａの生産性が向上される。
【０２１０】
＜第４実施形態の変形例＞
（Ａ）エリア別環境管理システム３００は、図２６に示すように、パーソナル空調機群３５０（３５０ａ，３５０ｂ，・・・）をさらに備えてもよい。パーソナル空調機３５０ａは、主として受取部５１ａ、環境提供部５２ａ及び第３入力部３５３ａを備える。第３入力部３５３ａに、個人７０ａから温度に関する要望が入力される。制御部１４ａは、受取部５１ａを経由して、要望の情報を受け取る。制御部１４ａは、要望と覚醒度と好適覚醒度とに基づいて、図２５に示す空間６０ａに対して好ましい温度を決めることができる。これらの点で第１実施形態と異なる。
【０２１１】
また、図２５に示すエリア別環境管理システム３００が空間群６０（６０ａ，６０ｂ，・・・）それぞれに温度環境を提供する処理の流れが、次の点で第１実施形態及び第４実施形態と異なる。なお、図２５に示すエリア別環境管理システム３００が空間６０ａに温度環境を提供する場合について説明するが、エリア別環境管理システム３００が他の空間６０ｂ，・・・に温度環境を提供する場合についても同様である。図２８，図２９において、図４に示す第１実施形態と同様の処理は、同じ番号で示してある。
【０２１２】
図２９に示すステップＳ６１では、要望が入力される。すなわち、図２６に示す第３入力部３５３ａに、図２５に示す個人７０ａから温度に関する要望が入力される。
【０２１３】
図２９に示すステップＳ６２では、空間６０ａに対して好ましい温度が決定される。すなわち、制御部１４ａにより、第２記憶部１７ａが参照され、空間６０ａに対して好ましい温度が、図６に示す相関関係と要望とから決められる。例えば、図６に示す相関関係から決められる温度と要望の温度との平均値が、空間６０ａに対して好ましい温度とされる。制御部１４ａにより、空間６０ａに対して好ましい温度の情報がパーソナル空調機５０ａに渡される。したがって、個人等の要望に適した環境をできるだけ提供するとともに、省エネルギー化を図りながら、覚醒度が好適覚醒度になるように環境が提供される。このため、個人７０ａの要望に適した環境をできるだけ提供するとともに、省エネルギー化を図りながら、個人７０ａの生産性が向上される。
【０２１４】
（Ｂ）図２６に示す報知部３１８ａが報知する環境は、温度環境、湿度環境、気流環境、照明環境、臭いの環境、音響環境及び覚醒度に影響を与える他の環境のうち少なくとも１つ以上であってもよい。この場合、報知部３１８ａは、好ましい環境を報知するだけでなく、環境による効果及び電力量の少なくとも一方などを同時に報知してもよい。
【０２１５】
（Ｃ）図２６に示す第２記憶部１７ａに記憶されている図６に示す相関関係は、更新されるようにしてもよい。すなわち、第２記憶部１７ａが、環境提供部５２ａがそれぞれのエリアに対して提供した温度環境の情報を、環境提供部５２ａから受取部５１ａと制御部１４ａとを経由して、取得する。あるいは、第２記憶部１７ａが、第３入力部３５３ａから受取部５１ａと制御部１４ａとを経由して、個人７０ａの温度環境に関する要望の情報を取得して、環境提供部５２ａが空間６０ａに対して提供した温度環境の情報としてもよい。第２記憶部１７ａが、検出部２１ａが検出した覚醒度の情報を受け取る。第２記憶部１７ａが、温度と覚醒度との相関関係を更新して記憶する。この場合、図４に示すステップＳ７のあとに、第２記憶部により、温度と覚醒度との相関関係が更新され記憶されることになる。したがって、提供された温度環境と検出された覚醒度との相関関係を記憶するので、温度と覚醒度との相関関係が正確に把握される。このため、覚醒度が好適覚醒度になるように環境が提供されることが容易になる。
【０２１６】
（Ｄ）図２６に示す端末装置３１０ａは、第４入力部１８ａをさらに備えてもよい。第４入力部１８ａに、作業性優先モードと健康優先モードとのいずれかが入力される。制御部１４ａは、作業性優先モードと健康優先モードとのいずれかの情報を第４入力部１８ａから受け取る。第４入力部１８ａに、スピード優先モードと正確さ優先モードとのいずれかがさらに入力される。制御部１４ａは、スピード優先モードと正確さ優先モードとのいずれかの情報を第４入力部１８ａから受け取る。制御部１４ａは、スピード優先モードと健康優先モードとのいずれかの情報に基づいて、図２５に示す空間６０ａに対して好ましい温度を変更する。
【０２１７】
この場合、図２５に示すエリア別環境提供システム３００が空間群６０（６０ａ，６０ｂ，・・・）それぞれに温度環境を提供する処理の流れが、図３０〜図３２に示すように、次の点で第１実施形態と異なる。なお、図２５に示すエリア別環境提供システム３００が空間６０ａに温度環境を提供する場合について説明するが、エリア別環境提供システム３００が他の空間６０ｂ，・・・に温度環境を提供する場合についても同様である。図３０〜図３２において、図４に示す第１実施形態と同様の処理は、同じ記号で示してある。
【０２１８】
図３０に示すステップＳ７１では、制御モードが入力される。すなわち、図２６に示す第４入力部１８ａに、作業性優先モードと健康優先モードとのいずれかが入力される。制御部１４ａにより、作業性優先モードと健康優先モードとのいずれかの情報が第４入力部１８ａから受け取られる（図３０，図３１で示す（２））。
【０２１９】
図３０に示すステップＳ７２では、制御モードが作業性優先モードであるか否かが判断される。すなわち、図２６に示す制御部１４ａにより、制御モードが作業性優先モードであるか否かが判断される。作業性優先モードであると判断された場合、ステップＳ７３へ進められ、作業性優先モードでないと判断された場合、ステップＳ７４へ進められる。
【０２２０】
図３０に示すステップＳ７３では、制御モードがさらに入力される。すなわち、図２６に示す第４入力部１８ａに、スピード優先モードと正確さ優先モードとのいずれかがさらに入力される。制御部１４ａにより、スピード優先モードと正確さ優先モードとのいずれかの情報が第４入力部１８ａから受け取られる。
【０２２１】
図３０に示すステップＳ７４では、好ましい温度が変更される。すなわち、図１に示す個人７０ａのストレス度が低減されるように、図２５に示す空間６０ａに対して好ましい温度が変更される。
【０２２２】
図３０に示すステップＳ７５では、制御モードがスピード優先モードであるか否かが判断される。すなわち、図２６に示す制御部１４ａにより、制御モードがスピード優先モードであるか否かが判断される。スピード優先モードであると判断された場合、ステップＳ７６へ進められ、スピード優先モードでないと判断された場合、ステップＳ７へ進められる。
【０２２３】
図３０に示すステップＳ７６では、好ましい温度が変更される。すなわち、図２６に示す制御部１４ａにより、図１に示す個人７０ａの覚醒度が上昇するように、図２５に示す空間６０ａに対して好ましい温度が変更される。
【０２２４】
したがって、作業性優先モードと健康優先モードとのいずれかが入力されるので、個人７０ａ，・・・の意志により個人７０ａ，・・・の状況を考慮して好ましい環境になるように個人７０ａ，・・・に促すことができる。このため、個人７０ａ，・・・の生産性を長期的な観点から向上することができる。また、作業性優先モードが入力された場合にスピード優先モードと正確さ優先モードとのいずれかがさらに入力されるので、作業性が優先される方法を詳細に考慮して好ましい環境を決めることができる。
【０２２５】
なお、第４入力部１８ａに入力された制御モードの情報の履歴が記憶され、第４入力部１８ａに連続して所定回数又は所定期間以上同じ制御モードが入力されないように、制御部１４ａにより制御されてもよい。
【０２２６】
（Ｉ）図２６に示す端末装置３１０ａは、第５入力部１９ａをさらに備えてもよい。第５入力部１９ａに、周囲情報が入力される。ここで、周囲情報は、個人７０ａ，・・・の周囲の状況に関する情報である。制御部１４ａは、周囲情報を第５入力部１９ａから受け取る。制御部１４ａは、周囲情報に基づいて、制御モードを決定する。制御部１４ａは、制御モードの情報に基づいて、図２に示す空間６０ａに対して好ましい温度を変更する。
【０２２７】
なお、周囲情報は、花粉情報、ドライアイ情報及び疾病情報の少なくとも１つを含んでいてもよい。ここで、花粉情報は、花粉の発生状態に関する情報である。ドライアイ情報は、ドライアイの発生しやすさに関する情報である。例えば、ドライアイ情報は、湿度の情報である。疾病情報は、空気感染する疾病の流行状態に関する情報である。
【０２２８】
この場合、図２５に示すエリア別環境提供システム３００が空間群６０（６０ａ，６０ｂ，・・・）それぞれに温度環境を提供する処理の流れが、図３３，図３４に示すように、次の点で第１実施形態と異なる。なお、図２５に示すエリア別環境提供システム３００が空間６０ａに温度環境を提供する場合について説明するが、エリア別環境提供システム３００が他の空間６０ｂ，・・・に温度環境を提供する場合についても同様である。図３３，図３４において、図４に示す第１実施形態と同様の処理は、同じ記号で示してある。
【０２２９】
図３３に示すステップＳ８０では、好ましい環境が決定される。すなわち、図２６に示す制御部１４ａにより、第２記憶部１７ａが参照され、空間６０ａに対して好ましい環境が図６に示す相関関係から決められる。ここで、環境は、温度・湿度・換気量・風量である。制御部１４ａにより、空間６０ａに対して好ましい温度の情報がパーソナル空調機５０ａに渡される。
【０２３０】
図３３に示すステップＳ８１では、周囲情報が入力される。すなわち、図２６に示す第５入力部１９ａに、周囲情報が入力される。ここで、周囲情報は、個人７０ａ，・・・の周囲の状況に関する情報である。周囲情報は、花粉情報、ドライアイ情報及び疾病情報である。制御部１４ａにより、周囲情報に基づいて、制御モードが決定される。例えば、周囲情報が花粉情報である場合、花粉モードが決定される。例えば、周囲情報がドライアイ情報である場合、ドライアイモードが決定される。例えば、周囲情報が疾病情報である場合、疾病モードが決定される（図３３，図３４で示す（２））。
【０２３１】
図３４に示すステップＳ８２では、制御モードが何であるかが判断される。すなわち、図２６に示す制御部１４ａにより、制御モードが何であるかが判断される。制御モードが花粉モードである場合、ステップＳ８３へ進められる。制御モードがドライアイモードである場合、ステップＳ８４へ進められる。制御モードが疾病モードである場合、ステップＳ８５へ進められる。
【０２３２】
図３４に示すステップＳ８３では、好ましい環境が変更される。すなわち、図２６に示す制御部１４ａにより、パーソナル空調機５０ａによる換気量が低減するように、図２５に示す空間６０ａに対して好ましい環境が変更される。
【０２３３】
図３４に示すステップＳ８４では、好ましい環境が変更される。すなわち、図２６に示す制御部１４ａにより、パーソナル空調機５０ａから吹き出される空調空気の風量が低減するように、また図２に示す空間６０ａの湿度を下げすぎないように、空間６０ａに対して好ましい環境が変更される。
【０２３４】
図３４に示すステップＳ８５では、好ましい環境が変更される。すなわち、図２６に示す制御部１４ａにより、パーソナル空調機５０ａによる換気量が低減するように、また図２５に示す空間６０ａの湿度が疾病感染を促進しない湿度になるように、空間６０ａに対して好ましい環境が変更される。
【０２３５】
したがって、周囲情報が入力されるので、個人７０ａ，・・・の周囲の状況を考慮した環境になるように個人７０ａ，・・・に促すことができる。このため、個人７０ａ，・・・の生産性を向上することができる。また、周囲情報を詳細な情報とすることができるので、個人７０ａ，・・・の生産性を詳細に向上することができる。
【産業上の利用可能性】
【０２３６】
本発明にかかるエリア別環境提供システム、エリア別環境管理システム及び環境提供装置は、個人等の生産性を向上することができるという効果を有し、エリア別環境提供システム、エリア別環境管理システム及び環境提供装置等として有用である。
【図面の簡単な説明】
【０２３７】
【図１】本発明の第１実施形態によるエリア別環境提供システムの概念図。
【図２】本発明の第１実施形態によるエリア別環境提供システムの概念図。
【図３】本発明の第１実施形態によるエリア別環境提供システムの構成図。
【図４】エリア別環境提供システムが空間群それぞれに温度環境を提供する処理の流れを示すフローチャート。
【図５】第１記憶部の構成を示す概念図。
【図６】第２記憶部の構成を示す概念図。
【図７】エリア別環境提供システムが空間群それぞれに温度環境を提供する処理の流れを示すフローチャート。
【図８】エリア別環境提供システムが空間群それぞれに温度環境を提供する処理の流れを示すフローチャート。
【図９】第３記憶部の構成を示す概念図。
【図１０】エリア別環境提供システムが空間群それぞれに温度環境を提供する処理の流れを示すフローチャート。
【図１１】第１記憶部の構成を示す概念図。
【図１２】エリア別環境提供システムが空間群それぞれに温度環境を提供する処理の流れを示すフローチャート。
【図１３】エリア別環境提供システムが空間群それぞれに温度環境を提供する処理の流れを示すフローチャート。
【図１４】エリア別環境提供システムが空間群それぞれに温度環境を提供する処理の流れを示すフローチャート。
【図１５】エリア別環境提供システムが空間群それぞれに温度環境を提供する処理の流れを示すフローチャート。
【図１６】エリア別環境提供システムが空間群それぞれに環境を提供する処理の流れを示すフローチャート。
【図１７】エリア別環境提供システムが空間群それぞれに環境を提供する処理の流れを示すフローチャート。
【図１８】本発明の第２実施形態によるエリア別環境提供システムの概念図。
【図１９】本発明の第２実施形態によるエリア別環境提供システムの構成図。
【図２０】エリア別環境提供システムが空間群それぞれに温度環境を提供する処理の流れを示すフローチャート。
【図２１】エリア別環境提供システムが空間群それぞれに温度環境を提供する処理の流れを示すフローチャート。
【図２２】第２記憶部の構成を示す概念図。
【図２３】本発明の第３実施形態によるエリア別環境提供システムの概念図。
【図２４】本発明の第３実施形態によるエリア別環境提供システムの構成図。
【図２５】本発明の第４実施形態によるエリア別環境管理システムの概念図。
【図２６】本発明の第４実施形態によるエリア別環境管理システムの構成図。
【図２７】エリア別環境管理システムが空間群それぞれに温度環境を提供する処理の流れを示すフローチャート。
【図２８】エリア別環境管理システムが空間群それぞれに温度環境を提供する処理の流れを示すフローチャート。
【図２９】エリア別環境管理システムが空間群それぞれに温度環境を提供する処理の流れを示すフローチャート。
【図３０】エリア別環境管理システムが空間群それぞれに温度環境を提供する処理の流れを示すフローチャート。
【図３１】エリア別環境管理システムが空間群それぞれに温度環境を提供する処理の流れを示すフローチャート。
【図３２】エリア別環境管理システムが空間群それぞれに環境を提供する処理の流れを示すフローチャート。
【図３３】エリア別環境管理システムが空間群それぞれに環境を提供する処理の流れを示すフローチャート。
【図３４】エリア別環境管理システムが空間群それぞれに環境を提供する処理の流れを示すフローチャート。
【符号の説明】
【０２３８】
１，１００，２００  エリア別環境提供システム
３００  エリア別環境管理システム
１０，３１０  端末装置群
２０  覚醒度センサー群
４０  温度センサー群
５０，３５０  パーソナル空調機群
６０  空間群
７０  個人群
１３０  発臭装置群
１８０  照明装置群
【図１】
0004682539.tif 000002
【図２】
0004682539.tif 000003
【図３】
0004682539.tif 000004
【図４】
0004682539.tif 000005
【図５】
0004682539.tif 000006
【図６】
0004682539.tif 000007
【図７】
0004682539.tif 000008
【図８】
0004682539.tif 000009
【図９】
0004682539.tif 000010
【図１０】
0004682539.tif 000011
【図１１】
0004682539.tif 000012
【図１２】
0004682539.tif 000013
【図１３】
0004682539.tif 000014
【図１４】
0004682539.tif 000015
【図１５】
0004682539.tif 000016
【図１６】
0004682539.tif 000017
【図１７】
0004682539.tif 000018
【図１８】
0004682539.tif 000019
【図１９】
0004682539.tif 000020
【図２０】
0004682539.tif 000021
【図２１】
0004682539.tif 000022
【図２２】
0004682539.tif 000023
【図２３】
0004682539.tif 000024
【図２４】
0004682539.tif 000025
【図２５】
0004682539.tif 000026
【図２６】
0004682539.tif 000027
【図２７】
0004682539.tif 000028
【図２８】
0004682539.tif 000029
【図２９】
0004682539.tif 000030
【図３０】
0004682539.tif 000031
【図３１】
0004682539.tif 000032
【図３２】
0004682539.tif 000033
【図３３】
0004682539.tif 000034
【図３４】
0004682539.tif 000035